(57)【特許請求の範囲】
【請求項１】
無線通信システム（ＲＣＳ）での干渉低減のための方法（ＭＥＴ１）であって、前記方法（ＭＥＴ１）が、
少なくとも１つの移動局（ＭＳ１、ＭＳ２）が第１の基地局（ＢＳ１）に接続されているとき、かつ、前記少なくとも１つの移動局（ＭＳ１、ＭＳ２）が、前記無線通信システム（ＲＣＳ）の前記第１の基地局（ＢＳ１）および第２の基地局（ＢＳ２）の第１の重なるカバレッジ・エリア内に位置するとき、前記無線通信システム（ＲＣＳ）の前記第１の基地局（ＢＳ１）によって送信され、前記少なくとも１つの移動局（ＭＳ１、ＭＳ２）での定義済みの品質基準を満たすまたは超える放射線ビーム（Ｂ１、Ｂ２、Ｂ３、Ｂ４）の指標（ＰＭＩ１）を、前記少なくとも１つの移動局（ＭＳ１、ＭＳ２）から処理ユニット（ＰＵ）で受信するステップ（Ｍ１／６）と、
前記第１の基地局（ＢＳ１）から前記第２の基地局（ＢＳ２）への、または前記第２の基地局（ＢＳ２）から前記第１の基地局（ＢＳ１）への前記少なくとも１つの移動局（ＭＳ１、ＭＳ２）のハンドオーバの前または後に、前記指標（ＰＭＩ１）が前記第１の基地局（ＢＳ１）で受信されたかどうかを、前記処理ユニット（ＰＵ）で管理するステップ（Ｍ１／７）と、
少なくとも１つの無線リソースを用いて前記第２の基地局（ＢＳ２）によって前記少なくとも１つの移動局（ＭＳ１、ＭＳ２）または少なくとも１つのさらなる移動局（ＭＳ１、ＭＳ２）をサーブするための前記受信された指標（ＰＭＩ１）に基づいて、前記少なくとも１つの無線リソースが、前記放射線ビーム（Ｂ１、Ｂ２、Ｂ３、Ｂ４）の少なくとも１つに関して前記第１の基地局（ＢＳ１）によって使用されない、または、最大送信電力未満の定義済みの差分を用いて送信されることを、前記処理ユニット（ＰＵ）で決定するステップ（Ｍ１／１０）と
を含み、前記受信された指標（ＰＭＩ１）の前記１つが前記ハンドオーバの前または後に受信されている場合、前記受信された指標（ＰＭＩ１）の前記１つによって示された放射線ビームが、前記決定するステップ（Ｍ１／１０）のために考慮される、方法。
【請求項２】
前記指標が、プリコーディング・マトリクス・インジケータであり、前記少なくとも１つの移動局（ＭＳ１、ＭＳ２）が、前記第１の基地局（ＢＳ１）に接続され、前記第１の基地局（ＢＳ１）によってサーブされるとき、前記プリコーディング・マトリクス・インジケータが、最良のプリコーディング・マトリクス・インジケータとして扱われ、前記少なくとも１つの移動局（ＭＳ１、ＭＳ２）または前記少なくとも１つのさらなる移動局（ＭＳ１、ＭＳ２）が、前記第２の基地局（ＢＳ２）に接続され、前記第２の基地局（ＢＳ２）によってサーブされるとき、前記プリコーディング・マトリクス・インジケータが、最悪のプリコーディング・マトリクス・インジケータとして扱われる、請求項１に記載の方法（ＭＥＴ１）。
【請求項３】
前記管理するステップ（Ｍ１／７）が、前記第１の基地局（ＢＳ１）から前記第２の基地局（ＢＳ２）への前記少なくとも１つの移動局（ＭＳ１、ＭＳ２）のハンドオーバ前の第１の定義済みの時間間隔内に、または、前記第２の基地局（ＢＳ２）から前記第１の基地局（ＢＳ１）への前記少なくとも１つの移動局（ＭＳ１、ＭＳ２）のハンドオーバ後の第２の定義済みの時間間隔内に、前記指標（ＰＭＩ１）が受信されたかどうかを確認し、前記受信された指標（ＰＭＩ１）の前記１つが前記第１の定義済みの時間間隔内、または前記第２の定義済みの時間間隔内に受信されている場合、前記受信された指標（ＰＭＩ１）の前記１つにより示される前記放射線ビームが前記決定するステップ（Ｍ１／１０）のために考慮されるかどうかを確認するサブステップを含む、請求項１に記載の方法（ＭＥＴ１）。
【請求項４】
前記管理するステップ（Ｍ１／７）が、前記指標（ＰＭＩ１）のどれが、前記第１の基地局（ＢＳ１）から前記第２の基地局（ＢＳ２）への前記少なくとも１つの移動局（ＭＳ１、ＭＳ２）のハンドオーバ前に受信された最後の指標であるのか、または、前記第２の基地局（ＢＳ２）から前記第１の基地局（ＢＳ１）への前記少なくとも１つの移動局（ＭＳ１、ＭＳ２）のハンドオーバ後に受信された最初の指標であるのかを決定するサブステップを含み、前記受信された指標（ＰＭＩ１）の前記１つが前記最後の指標または前記最初の指標である場合、前記受信された指標（ＰＭＩ１）の前記１つによって示される前記放射線ビームが前記決定するステップ（Ｍ１／１０）のために考慮される、請求項１に記載の方法（ＭＥＴ１）。
【請求項５】
前記放射線ビーム（Ｂ１、Ｂ２、Ｂ３、Ｂ４）の第１の放射線ビーム（Ｂ１）が、前記放射線ビーム（Ｂ１、Ｂ２、Ｂ３、Ｂ４）の第２の放射線ビーム（Ｂ２）と隣接し、または重なり、前記第２の放射線ビーム（Ｂ２）が、前記放射線ビーム（Ｂ１、Ｂ２、Ｂ３、Ｂ４）の第３の放射線ビーム（Ｂ３）と隣接し、または重なり、前記第１の放射線ビーム（Ｂ１）および第３の放射線ビーム（Ｂ３）に関する指標が前記処理ユニット（ＰＵ）で受信された場合、前記第２の放射線ビーム（Ｂ２）が前記決定するステップ（Ｍ１／１０）のために考慮される、請求項１乃至４のいずれか１項に記載の方法（ＭＥＴ１）。
【請求項６】
前記放射線ビーム（Ｂ１、Ｂ２、Ｂ３、Ｂ４）の前記１つが定義済みの発生頻度で示されている場合、前記受信された指標（ＰＭＩ１）の１つによって示される放射線ビームが前記決定するステップ（Ｍ１／１０）のために考慮される、請求項１乃至５のいずれか１項に記載の方法（ＭＥＴ１）。
【請求項７】
前記定義済みの品質基準が、前記少なくとも１つの移動局（ＭＳ１、ＭＳ２）で受信された前記放射線ビーム（Ｂ１、Ｂ２、Ｂ３、Ｂ４）の１つの無線周波数信号の最大信号対雑音比、前記少なくとも１つの移動局（ＭＳ１、ＭＳ２）で受信された前記放射線ビーム（Ｂ１、Ｂ２、Ｂ３、Ｂ４）の１つの前記無線周波数信号の最大信号対干渉プラス雑音比、前記少なくとも１つの移動局（ＭＳ１、ＭＳ２）で受信された前記放射線ビーム（Ｂ１、Ｂ２、Ｂ３、Ｂ４）の１つの前記無線周波数信号の最大信号対干渉比のいずれかである、請求項１乃至６のいずれか１項に記載の方法（ＭＥＴ１）。
【請求項８】
前記定義済みの品質基準が、最高の受信信号品質を有する放射線ビームであるか、定義済みの受信信号品質よりも上の受信信号品質を有する少なくとも２つの放射線ビームのグループに属している放射線ビームである、請求項１乃至７のいずれか１項に記載の方法（ＭＥＴ１）。
【請求項９】
前記第１の基地局（ＢＳ１）がマクロ基地局であり、前記第２の基地局（ＢＳ２）がマイクロ基地局、ピコ基地局、またはフェムト基地局であり、前記マイクロ基地局、前記ピコ基地局、または前記フェムト基地局のカバレッジ・エリア（Ｃ２、Ｃ２−ＥＸＴ）が、前記マクロ基地局のカバレッジ・エリア（ＳＥＣ１）内に位置するか、前記マクロ基地局のカバレッジ・エリア（ＳＥＣ１）と重なる、請求項１乃至８のいずれか１項に記載の方法（ＭＥＴ１）。
【請求項１０】
前記方法が、さらに、
前記第１の基地局（ＢＳ１）によって送信され、前記少なくとも１つの移動局（ＭＳ１、ＭＳ２）もしくは前記少なくとも１つのさらなる移動局（ＭＳ１、ＭＳ２）によって測定された第１の無線周波数信号の信号強度が、前記第２の基地局（ＢＳ２）によって送信され、前記少なくとも１つの移動局（ＭＳ１、ＭＳ２）もしくは前記少なくとも１つのさらなる移動局（ＭＳ１、ＭＳ２）によって測定された第２の無線周波数信号の信号強度よりも大きい第１の定義済みの大きさ（ＤＳ−Ｒ）ではない限り、前記第２の基地局（ＢＳ２）から前記第１の基地局（ＢＳ１）へのハンドオーバを防止することによって、または、前記少なくとも１つの移動局（ＭＳ１、ＭＳ２）によって、もしくは前記少なくとも１つのさらなる移動局（ＭＳ１、ＭＳ２）によって測定された前記第２の無線周波数信号の前記信号強度が、最大で、前記少なくとも１つの移動局（ＭＳ１、ＭＳ２）によって、もしくは前記少なくとも１つのさらなる移動局（ＭＳ１、ＭＳ２）によって測定された前記第１の無線周波数信号の前記信号強度よりも小さい前記第１の定義済みの大きさ（ＤＳ−Ｒ）である場合、前記第１の基地局（ＢＳ１）から前記第２の基地局（ＢＳ２）へのハンドオーバをトリガすることによって、前記第２の基地局（ＢＳ１）の前記カバレッジ・エリア（Ｃ２−ＥＸＴ）のために範囲拡張を適用するステップと、
定義済みの時間間隔で、前記少なくとも１つの移動局（ＭＳ１、ＭＳ２）または前記少なくとも１つのさらなる移動局（ＭＳ１、ＭＳ２）を選択するステップと、
前記少なくとも１つの移動局（ＭＳ１、ＭＳ２）によって、もしくは前記少なくとも１つのさらなる移動局（ＭＳ１、ＭＳ２）によって測定された前記第２の無線周波数信号の前記信号強度が、前記少なくとも１つの移動局（ＭＳ１、ＭＳ２）によって、もしくは前記少なくとも１つのさらなる移動局（ＭＳ１、ＭＳ２）によって測定された前記第１の無線周波数信号の前記信号強度よりも小さい第２の定義済みの大きさ（ＤＳ−ＮＯ−Ｒ）である場合、前記第２の基地局（ＢＳ２）から前記第１の基地局（ＢＳ１）への前記ハンドオーバをトリガすることによって、または、前記少なくとも１つの移動局（ＭＳ１、ＭＳ２）によって、もしくは前記少なくとも１つのさらなる移動局（ＭＳ１、ＭＳ２）によって測定された前記第２の無線周波数信号の前記信号強度が、少なくとも前記１つの移動局（ＭＳ１、ＭＳ２）によって、もしくは前記少なくとも１つのさらなる移動局（ＭＳ１、ＭＳ２）によって測定された前記第１の無線周波数信号の前記信号強度よりも大きい前記第２の定義済みの大きさ（ＤＳ−ＮＯ−Ｒ）である限り、前記第１の基地局（ＢＳ１）から前記第２の基地局（ＢＳ２）への前記ハンドオーバを防止することによって、前記選択された少なくとも１つの移動局（ＭＳ１、ＭＳ２）および／または前記選択された少なくとも１つのさらなる移動局（ＭＳ１、ＭＳ２）に関して、前記第２の基地局（ＢＳ２）の前記カバレッジ・エリア（Ｃ２）のために範囲拡張を適用しないステップと
を含み、前記第１の定義済みの大きさ（ＤＳ−Ｒ）が前記第２の定義済みの大きさ（ＤＳ−ＮＯ−Ｒ）よりも大きい、請求項９に記載の方法。
【請求項１１】
前記方法（ＭＥＴ１）が、さらに、前記少なくとも１つの移動局（ＭＳ１、ＭＳ２）が、前記第１の基地局（ＢＳ１）から前記第２の基地局（ＢＳ２）への前記少なくとも１つの移動局（ＭＳ１、ＭＳ２）のハンドオーバを防止するための定義済みの速度値以上の速度で前記第２の基地局（ＢＳ２）の前記カバレッジ・エリアを横断しているとき、前記放射線ビーム（Ｂ１、Ｂ２、Ｂ３、Ｂ４）の１つに関する指標が前記少なくとも１つの移動局（ＭＳ１、ＭＳ２）から受信されているかどうかを、前記処理ユニット（ＰＵ）で確認するステップ（Ｍ１／７）を含み、前記少なくとも１つの移動局（ＭＳ１、ＭＳ２）が、前記定義済みの速度値以上の前記速度で前記第２の基地局（ＢＳ２）の前記カバレッジ・エリアを横断している場合、前記受信された指標（ＰＭＩ１）の前記１つによって示される前記放射線ビームが、前記決定するステップ（Ｍ１／１０）のために考慮される、請求項１乃至１０のいずれか１項に記載の方法（ＭＥＴ１）。
【請求項１２】
前記少なくとも１つのさらなる移動局（ＭＳ１、ＭＳ２）が、前記第１の基地局（ＢＳ１）および前記第２の基地局（ＢＳ２）の第２の重なるカバレッジ・エリア内に位置し、前記方法（ＭＥＴ１）が、さらに、
少なくとも１つのさらなる無線リソースを用いて前記第２の基地局（ＢＳ２）によって前記少なくとも１つのさらなる移動局（ＭＳ２）をサーブするための前記受信された指標に基づいて、前記少なくとも１つのさらなる無線リソースが、少なくとも１つのさらなる放射線ビーム（Ｂ１）に関して前記第１の基地局（ＢＳ１）によって使用されない、または、前記制限された送信電力で送信されることを、前記処理ユニット（ＰＵ）で決定するステップ（Ｍ１／１０）と、
前記少なくとも１つの無線リソースのための第１の指標またはいくつかの第１の指標（ＲＲＩ１）、および前記少なくとも１つのさらなる無線リソースのための第２の指標またはいくつかの第２の指標（ＲＲＩ２）を、前記処理ユニット（ＰＵ）から前記第２の基地局（ＢＳ２）に送信するステップ（Ｍ１／１１）と
を含む、請求項１乃至１１のいずれか１項に記載の方法（ＭＥＴ１）。
【請求項１３】
無線通信システム（ＲＣＳ）での干渉低減のための処理ユニット（ＰＵ）であって、前記処理ユニット（ＰＵ）が、
少なくとも１つの移動局（ＭＳ１、ＭＳ２）が第１の基地局（ＢＳ１）に接続されているとき、かつ、前記少なくとも１つの移動局（ＭＳ１、ＭＳ２）が、前記無線通信システム（ＲＣＳ）の前記第１の基地局（ＢＳ１）および第２の基地局（ＢＳ２）の重なるカバレッジ・エリア内に位置するとき、前記無線通信システム（ＲＣＳ）の前記第１の基地局（ＢＳ１）によって送信され、定義済みの品質基準を満たすまたは超える放射線ビームの指標を、前記少なくとも１つの移動局（ＭＳ１、ＭＳ２）から受信するためのインターフェース（ＩＦ１）と、
前記第１の基地局（ＢＳ１）から前記第２の基地局（ＢＳ２）への、または前記第２の基地局（ＢＳ２）から前記第１の基地局（ＢＳ１）への前記少なくとも１つの移動局（ＭＳ１、ＭＳ２）のハンドオーバの前または後に、前記指標（ＰＭＩ１）が前記第１の基地局（ＢＳ１）で受信されたかどうかを、前記処理ユニット（ＰＵ）で管理する（Ｍ１／７）ための評価ユニット（ＥＶＡＬ−Ｕ）と、
少なくとも１つの無線リソースを用いて前記第２の基地局（ＢＳ２）によって前記少なくとも１つの移動局（ＭＳ１、ＭＳ２）または少なくとも１つのさらなる移動局（ＭＳ１、ＭＳ２）をサーブするための前記受信された指標（ＰＭＩ１）に基づいて、前記少なくとも１つの無線リソースが、前記放射線ビーム（Ｂ１、Ｂ２、Ｂ３、Ｂ４）の１つに関して前記第１の基地局（ＢＳ１）によって使用されない、または、制限された送信電力で送信されることを決定し、前記受信された指標（ＰＭＩ１）の前記１つが前記ハンドオーバの前または後に受信されている場合、前記受信された指標（ＰＭＩ１）の前記１つによって示された放射線ビームを、前記決定のために考慮するためのスケジューラ（ＳＣＨＥＤ）と
を備える、処理ユニット。
【請求項１４】
前記処理ユニットがワイヤレス送信機、ワイヤレス・トランシーバ、またはモデム・ユニット・ボードである、請求項１３に記載の処理ユニット（ＰＵ）。
【請求項１５】
請求項１３または請求項１４に記載の処理ユニット（ＰＵ）を備えるワイヤレス・アクセス・ネットワーク・ノード（ＢＳ１）。
【発明の詳細な説明】
【技術分野】
【０００１】
本発明は、ワイヤレス通信に関し、より詳細には、限定するものではないが、無線通信システムにおける干渉低減に関する。
【背景技術】
【０００２】
異種無線通信システムでは、いくつかのタイプのワイヤレス・アクセス・ネットワーク・ノードが、移動局をサーブしている。無線通信システムの無線アクセス・ネットワークは、オープンな屋外環境からオフィスビル、住宅、および地下エリアまで及ぶ異なる環境のための様々なサイズのワイヤレス・カバレッジ・ゾーンを有するワイヤレス・カバレッジを提供するために、例えば、いわゆるマクロ・セル、いわゆるマイクロ・セル、いわゆるピコ・セル、および／またはいわゆるフェムト・セルを提供することができる。
【０００３】
マクロ・セルは、最も高い出力電力によって最も広い無線カバレッジを提供し、例えば、農村地域に、または高速道路に沿って配置され得る無線通信システムの無線セルである。マクロ・セルは、ＧＳＭ／ＧＰＲＳ（ＧＳＭ＝モバイル通信用グローバルシステム、ＧＰＲＳ＝汎用パケット無線サービス）またはＵＭＴＳ（ＵＭＴＳ＝ユニバーサル・モバイル・テレコミュニケーション・システム）などの、２Ｇまたは３Ｇ無線通信システム（２Ｇ／３Ｇ＝第２／第３世代）の基地局に相当する。マクロ・セル用のアンテナは、地上設置型のマスト、屋上、または他の既存の構造上に、周囲の建物や地形の上方にはっきりとした視界を提供する高さに取り付けられる。
【０００４】
マクロ・セルよりも小さいカバレッジ・エリアを有するマイクロ・セルは、人口密度が高い都市部で展開され得る。ピコ・セルは、マイクロ・セルよりもさらに小さい領域に対して展開される。ピコ・セルの使用例は、大規模なオフィス、モール、または鉄道駅になる。現在、カバレッジの最も小さい領域は、フェムト・セルによって実施され得、フェムト・セルは、家庭または小規模なオフィスで展開され得る。
【０００５】
ワイヤレス・アクセス・ネットワーク・ノードから、より小さいセル（マイクロ・セル、ピコ・セル、フェムト・セル）に接続される、またはそれによってサーブされる移動局に送信される無線周波数信号の下りリンク方向では、より小さいセル内の干渉状況は、通常、より小さいセルをカバーする、またはそれと交差するマクロ・セルによって支配される。
【先行技術文献】
【特許文献】
【０００６】
【特許文献１】欧州特許第２１６６８０７Ｂ１号
【非特許文献】
【０００７】
【非特許文献１】「ＬＴＥ−Ｔｈｅ  ＵＭＴＳ  Ｌｏｎｇ  Ｔｅｒｍ  Ｅｖｏｌｕｔｉｏｎ：Ｆｒｏｍ  Ｔｈｅｏｒｙ  ｔｏ  Ｐｒａｃｔｉｃｅ」、Ｓｔｅｆａｎｉａ  Ｓｅｓｉａ、Ｉｓｓａｍ  Ｔｏｕｆｉｋ、Ｍａｔｔｈｅｗ  Ｂａｋｅｒ、Ｊｏｈｎ  Ｗｉｌｅｙ  ＆  Ｓｏｎｓ、第２版、２０１１、、セクション１１．２．２．４
【非特許文献２】「Ｗｉｒｅｌｅｓｓ  Ｐｏｓｉｔｉｏｎ  Ｌｏｃａｔｉｏｎ：Ｆｕｎｄａｍｅｎｔａｌｓ，Ｉｍｐｌｅｍｅｎｔａｔｉｏｎ  Ｓｔｒａｔｅｇｉｅｓ，ａｎｄ  Ｓｏｕｒｃｅｓ  ｏｆ  Ｅｒｒｏｒ」、Ｋｅｖｉｎ  Ｊ．Ｋｒｉｚｍａｎら、ＩＥＥＥ  ４７ｔｈ  Ｖｅｈｉｃｕｌａｒ  Ｔｅｃｈｎｏｌｏｇｙ  Ｃｏｎｆｅｒｅｎｃｅ  Ｐｒｏｃｅｅｄｉｎｇｓ、９１９（１９９７）
【非特許文献３】「Ｓａｔｅｌｌｉｔｅ  ａｎｄ  Ｔｅｒｒｅｓｔｒｉａｌ  Ｒａｄｉｏ  Ｐｏｓｉｔｉｏｎｉｎｇ  Ｔｅｃｈｎｉｑｕｅｓ，Ａ  ｓｉｇｎａｌ  ｐｒｏｃｅｓｓｉｎｇ  ｐｅｒｓｐｅｃｔｉｖｅ」、Ｄａｒｄａｒｉ、Ｌｕｉｓｅ、Ｆａｌｌｅｔｔｉ、Ａｃａｄｅｍｉｃ  Ｐｒｅｓｓ、２０１１
【発明の概要】
【発明が解決しようとする課題】
【０００８】
より小さいセルの１つによってサーブされる移動局への下りリンク伝送を改善するために、マクロ・セルからの支配的な干渉は、低減されるか、さらに除去されなければならない。したがって、本発明の目的は、異種無線通信システムのより小さいセルにおける干渉を低減または除去し、異種無線通信システムにおける全体的なスループットを向上させることである。
【課題を解決するための手段】
【０００９】
目的は、無線通信システムにおける干渉低減のための方法によって達成される。方法は、少なくとも１つの移動局が第１の基地局に接続されているとき、かつ、少なくとも１つの移動局が、無線通信システムの第１の基地局および第２の基地局の第１の重なるカバレッジ・エリア内に位置するとき、無線通信システムの第１の基地局によって送信され、少なくとも１つの移動局での定義済みの品質基準を満たすまたは超える放射線ビームの指標を、少なくとも１つの移動局から処理ユニットで受信するステップと、少なくとも１つの無線リソースを用いて第２の基地局によって少なくとも１つの移動局または少なくとも１つのさらなる移動局をサーブするための受信された指標に基づいて、少なくとも１つの無線リソースが、放射線ビームの少なくとも１つに関して第１の基地局によって使用されない、または、最大送信電力未満の定義済みの差分を用いて送信されることを、処理ユニットで決定するステップとを含む。目的は、さらに、処理ユニットによって、および、処理ユニットを含むワイヤレス・アクセス・ネットワーク・ノードによって達成される。
【００１０】
第１の基地局は、例えば、いわゆるマクロ基地局であってよく、第２の基地局は、例えば、いわゆるマイクロ基地局、いわゆるピコ基地局、またはいわゆるフェムト基地局であってよく、無線通信システムは、例えば、異種無線通信システムであってよい。
【００１１】
マイクロ基地局のマイクロ・セル、またはピコ基地局のピコ・セル、またはフェムト基地局のフェムト・セルは、例えば、マクロ基地局のマクロ・セル内に配置されてよく、または、マクロ基地局のマクロ・セルと交差することができる。
【００１２】
定義済みの品質基準は、例えば、少なくとも１つの移動局で受信された放射線ビームの１つの無線周波数信号の最大ＳＮＲ（ＳＮＲ＝信号対雑音比）、少なくとも１つの移動局で受信された放射線ビームの１つの無線周波数信号の最大ＳＩＮＲ（ＳＩＮＲ＝信号対干渉プラス雑音比）、または、少なくとも１つの移動局で受信された放射線ビームの１つの無線周波数信号の最大ＳＩＲ（ＳＩＲ＝信号対干渉比）であってよい。
【００１３】
好ましくは、定義済みの品質基準は、最高の受信信号品質を有する放射線ビームであるか、定義済みの受信信号品質より上の受信信号品質を有する少なくとも２つの放射線ビームのグループに属している放射線ビームである。３ＧＰＰ  ＬＴＥ（３ＧＰＰ＝第３世代パートナーシップ・プロジェクト（Ｔｈｉｒｄ  Ｇｅｎｅｒａｔｉｏｎ  Ｐａｒｔｎｅｒｓｈｉｐ  Ｐｒｏｊｅｃｔ）、ＬＴＥ＝ロング・ターム・エボリューション（Ｌｏｎｇ  Ｔｅｒｍ  Ｅｖｏｌｕｔｉｏｎ））に関して、定義済みの品質基準は、３ＧＰＰ  ＴＳ  ３６．２１３  Ｖ１０．０．１（２０１０−１２）セクション７．２．４で定義され、「ＬＴＥ−Ｔｈｅ  ＵＭＴＳ  Ｌｏｎｇ  Ｔｅｒｍ  Ｅｖｏｌｕｔｉｏｎ：Ｆｒｏｍ  Ｔｈｅｏｒｙ  ｔｏ  Ｐｒａｃｔｉｃｅ」、Ｓｔｅｆａｎｉａ  Ｓｅｓｉａ、Ｉｓｓａｍ  Ｔｏｕｆｉｋ、Ｍａｔｔｈｅｗ  Ｂａｋｅｒ、Ｊｏｈｎ  Ｗｉｌｅｙ  ＆  Ｓｏｎｓ、第２版、２０１１、セクション１１．２．２．４で説明されているような、最良のＰＭＩ（ＰＭＩ＝プリコーディング・マトリクス・インジケータ（Ｐｒｅｃｏｄｉｎｇ  Ｍａｔｒｉｘ  Ｉｎｄｉｃａｔｏｒ））であってよい。最良のＰＭＩは、最良のＰＭＩを報告した移動局をサーブするための最良の放射線ビームである可能性がある放射線ビームを示す。
【００１４】
本発明は、第２の基地局のカバレッジ・エリア内の干渉を低減または除去することの主な利点を提供する。これによって、第２の基地局に接続される移動局に対するサービスの品質は、最適化され得、第２の基地局に関するデータ・スループットは、上昇され得、無線通信システムの全体的なスループットも、上昇され得る。
【００１５】
第１の実施形態によれば、方法は、第１の基地局から第２の基地局への、または第２の基地局から第１の基地局への少なくとも１つの移動局のハンドオーバの前または後に、指標が第１の基地局で受信されたかどうかと、受信された指標の１つがハンドオーバの前または後に受信されている場合、受信された指標の１つによって示された放射線ビームが前記決定するステップのために考慮されているかどうかとを、処理ユニットで管理するステップをさらに含む。第１の実施形態の利点は、以下の事実、すなわち、３ＧＰＰ  ＬＴＥリリース８に関して、第１の基地局は、ｅＮｏｄｅＢ（ｅＮｏｄｅＢ＝進化型ノードＢ（ｅｖｏｌｖｅｄ  Ｎｏｄｅ  Ｂ））であってよく、２つ以上のアンテナ素子を有する第１の基地局アンテナ・システムを含むことができることに基づく。これは、少なくとも１つの移動局が２つ以上のアンテナ素子を有する移動局アンテナ・システムを含む場合、ＭＩＭＯ下りリンク伝送（ＭＩＭＯ＝多入力多出力）を、または、少なくとも１つの移動局が単一のアンテナ素子を有する移動局アンテナ・システムを含む場合、ＭＩＳＯ下りリンク伝送（ＭＩＳＯ＝多入力単一出力）を適用することを可能にする。少なくとも１つの移動局は、第１の基地局にフィードバック情報を周期的に報告し、フィードバック情報は、３つのパラメータ（例えば、３ＧＰＰ  ＴＳ  ３６．２１３  Ｖ１０．０．１（２０１０−１２）セクション７．２参照）、ＣＱＩ（ＣＱＩ＝チャネル品質指標）、ＰＭＩ（ＰＭＩ＝プリコーディング・マトリクス・インジケータ）、およびＲＩ（ＲＩ＝ランク指標）を含むことができる。ＣＱＩは、最大平均許容変調搬送波電力を有する、下りリンク放射線ビームのチャンネル品質を示すパラメータである。ＬＴＥリリース８、９、および１０に関して、ＣＱＩパラメータは、下りリンク・チャネルのトランスポート・フォーマットのためのインデックス・パラメータである。ＰＭＩは、ＣＱＩパラメータが報告される下りリンク放射線ビームを示すさらなるインデックス・パラメータである。ＰＭＩは、すべての許可された送信アンテナ・ウェイトの組合せを有するプリコーディング・ベクトルを含むコードブックのエントリに属する。ＲＩは、少なくとも１つの移動局によって推定される、少なくとも１つの移動局の受信機によって十分に分離され得るストリームの数を示すパラメータである。少なくとも１つの移動局が第２の基地局に接続されているまたは接続されている場合、少なくとも１つの移動局は、第２の基地局の下りリンク放射線ビームに関する対応するフィードバック情報を報告するが、第１の基地局の下りリンク放射線ビームに関するフィードバック情報を報告しない。これは、３ＧＰＰ  ＬＴＥの現在のリリースは、少なくとも１つの移動局が第２の基地局によってサーブされる場合、第２の基地局が第１の基地局の干渉放射線ビームの知識を取得することを許可しないことを意味する。この不足は、第１の基地局から第２の基地局への少なくとも１つの移動局の第１のハンドオーバ手順を監視し、少なくとも１つの移動局のハンドオーバの少し前に少なくとも１つの移動局によって報告され得る第１の基地局の第１のＰＭＩが、第２の基地局によって少なくとも１つの移���局または少なくとも１つのさらなる移動局に送信される無線周波数信号と干渉する第１の基地局の第１の放射線ビームを示すことを仮定することによって、回避され得る。この不足は、また、第２の基地局から第１の基地局への少なくとも１つの移動局の第２のハンドオーバ手順を監視し、少なくとも１つの移動局のハンドオーバの少し後に少なくとも１つの移動局によって報告され得る第１の基地局の第２のＰＭＩが、第２の基地局によって少なくとも１つの移動局または少なくとも１つのさらなる移動局に送信される無線周波数信号と干渉する第１の基地局の第２の放射線ビームを示すことを仮定することによって、回避され得る。第１のＰＭＩおよび第２のＰＭＩは、同一でも異なっていてもよい。対応して、第１の放射線ビームおよび第２の放射線ビームは、同一でも異なっていてもよい。
【００１６】
少なくとも１つの移動局が第１の基地局に接続され、第１基地局によってサーブされている間、および、少なくとも１つの移動局が第２の基地局のカバレッジ・エリアの範囲内に位置している間に報告された第１のＰＭＩまたは第２のＰＭＩは、最良のＰＭＩである。それによって、最良のＰＭＩは、少なくとも１つの移動局または少なくとも１つのさらなる移動局が第２の基地局に接続され、第２の基地局によってサーブされている間、最悪のＰＭＩとして扱われる。
【００１７】
第１の実施形態は、３ＧＰＰ  ＬＴＥ無線通信システム内の無線アクセス・ネットワークと移動局との間に新たなシグナリング・メッセージを導入するための標準的な修正を必要としないというさらなる利点を提供する。好ましい実施形態の方法は、例えば、第１の基地局および第２の基地局が同じ製造業者によって提供される場合、および、独自のシグナリング・メッセージが、３ＧＰＰ  ＬＴＥによって定義された、第１の基地局と第２の基地局との間のいわゆるＸ２インターフェース上で使用され得る場合の両方で、３ＧＰＰ  ＬＴＥリリース８、９、および１０に基づく無線通信システムにすぐに適用され得る。方法は、３ＧＰＰ  ＬＴＥリリース８、９、および１０の１つに準拠する任意の移動局のために使用され得る。
【００１８】
第１の実施形態の第１のオプションによれば、管理するステップは、第１の基地局から第２の基地局への少なくとも１つの移動局のハンドオーバの前の第１の定義済みの時間間隔内、または、第２の基地局から第１の基地局への少なくとも１つの移動局のハンドオーバ後の第２の定義済みの時間間隔内に指標が受信されたかどうかを確認し、受信された指標の１つが第１の定義済みの時間間隔または第２の定義済みの時間間隔内に受信されている場合、受信された指標の１つによって示される放射線ビームが、決定するステップのために考慮されているかどうかを確認するサブステップを含むことができる。第１の定義済みの時間間隔および第２の定義済みの時間間隔のサイズは、少なくとも１つの移動局がＰＭＩを第１の基地局に報告する周期性に依存してよい。３ＧＰＰ  ＬＴＥの場合には、周期性は、広い範囲で調整されてよい。広帯域ＣＱＩおよびＰＭＩを報告する場合には、例えば、２０ミリ秒のフィードバック周期が、ＰＭＩを報告するために使用されてよい。例えば、３つのＰＭＩが第１の定義済みの時間間隔または第２の定義済みの時間間隔内に収集されるべきである場合、第１の定義済みの時間間隔または第２の定義済みの時間間隔は、例えば、７０ミリ秒に設定されてよい。周波数選択性ＣＱＩが報告されるさらなる報告モードが適用される場合、２０ミリ秒の倍数であってよいさらなるフィードバック周期が使用されてよい。そのような場合には、第１の定義済みの時間間隔または第２の定義済みの時間間隔は、それに応じて増加されてよい。
【００１９】
これによって、第１の定義済みの時間間隔内または第２の定義済みの時間間隔内に受信された１つまたは複数の指標が、決定するステップのために考慮され得る。第１の定義済みの時間間隔または第２の定義済みの時間間隔を変更することによって、決定するステップのために収集される指標の数は、適合され得、または、第１の定義済みの時間間隔または第２の定義済みの時間間隔の間に最も頻繁に受信された指標のみが、決定するステップのために収集され得る。例えば、第１の基地局から第２の基地局へのハンドオーバの前に最後に報告された最良のＰＭＩ、または第２の基地局から第１の基地局へのハンドオーバの後に最初に報告された最良のＰＭＩが収集される場合と比較して、２つ以上の指標を収集することは、例えば、２つの放射線ビームが重なり、移動局が単一の送信で最良のＰＭＩを報告することのみを許可されている場合に適用され得る。２つ以上の指標が、第１の基地局から第２の基地局へのハンドオーバの直前に、または第２の基地局から第１の基地局へのハンドオーバの直後に収集される場合、移動局が、例えば、第１の送信におけるハンドオーバの前または後に２つの放射線ビームの第１のものに関する指標を報告することができ、次の送信において２つの放射線ビームの第２のものに関する指標を報告することができる、より高い可能性があることになる。第１の実施形態の第２のオプションによれば、決定するステップは、どの指標が、第１の基地局から第２の基地局への少なくとも１つの移動局のハンドオーバの前に受信された最後の指標であるか、または、第２の基地局から第１の基地局への少なくとも１つの移動局のハンドオーバ後に受信された最初の指標であるかを決定するサブステップを含み、受信された指標の１つが最後の指標または最初の指標である場合、受信された指標の１つによって示される放射線ビームが、決定するステップのために考慮される。第１のオプションと比較して、第２のオプションは、少なくとも１つの移動局のハンドオーバ直前または直後に報告されたこれらの指標のみを考慮する。これによって、より少ない処理およびメモリ・リソースが必要とされ得る。
【００２０】
第２の実施形態によれば、少なくとも１つの移動局は、ＧＰＳ（ＧＰＳ＝全地球測位システム）、ＧＬＯＮＡＳＳ、またはＧａｌｉｌｅｏなどの全地球的航法衛星システムから信号を受信するための受信機を含むことができ、方法は、さらに、全地球的航法衛星システムから信号を受信するための受信機に基づいて、無線通信システム内の少なくとも１つの移動局の位置を、少なくとも１つの移動局で決定するステップと、少なくとも１つの移動局から少なくとも１つの移動局の位置の位置情報を、処理ユニットで受信するステップと、受信された位置情報に基づいて、少なくとも１つの移動局が、第１の基地局および第２の基地局の重なるカバレッジ・エリア内に位置しているかどうかを、処理ユニットで決定するステップとを含むことができる。
【００２１】
第３の実施形態によれば、方法は、さらに、処理ユニットによって、指標、および第２の基地局の指標をマッピング・テーブルに記憶するステップと、処理ユニットによって、決定するステップを実行する前に、マッピング・テーブルに問い合わせるステップとを含むことができる。これは、マクロ・セルのすべての干渉する放射線ビームのための中央または分散データベースを提供する利点と、少なくとも数回報告された、第２の基地局または指標に関して最も報告されたマッピング・テーブル内のこれらの指標のみを選択し、維持するなどの、統計的評価を可能にする可能性を提供する利点とを提供する。
【００２２】
第４の実施形態によれば、放射線ビームのグループの第１の放射線ビームは、放射線ビームの第２の放射線ビームと隣接するまたは重なることができ、第２の放射線ビームは、放射線ビームの第３の放射線ビームと隣接するまたは重なることができ、第１の放射線ビームおよび第３の放射線ビームに関する指標が処理ユニットによって受信された場合、第２の放射線ビームは、決定するステップのために考慮される。これによって、最も頻繁に基地局に横断される第２の基地局のカバレッジ・エリアの中央領域と重なるが、第２の基地局のカバレッジ・エリアの境界領域と重ならない、または部分的にのみ重なる放射線ビームの指標も、マッピング・テーブルに記憶され得、決定するステップのために適用され得る。
【００２３】
好ましくは、放射線ビームの１つが、定義済みの発生頻度によって示されている場合、受信された指標の１つによって示される放射線ビームは、決定するステップのために考慮される。定義済みの発生頻度は、例えば、第１の基地局と第２の基地局との間のハンドオーバと関連して第１の基地局および第２の基地局の重なるカバレッジ・エリアに関して報告されたすべての指標の３０％であってよい。
【００２４】
第５の実施形態に関して、方法は、さらに、第１の基地局によって送信され、少なくとも１つの移動局もしくは少なくとも１つのさらなる移動局によって測定された第１の無線周波数信号の信号強度が、第２の基地局によって送信され、少なくとも１つの移動局もしくは少なくとも１つのさらなる移動局によって測定された第２の無線周波数信号の信号強度よりも大きい第１の定義済みの大きさではない限り、第２の基地局から第１の基地局へのハンドオーバを防止することによって、または、少なくとも１つの移動局によって、もしくは少なくとも１つのさらなる移動局によって測定された第２の無線周波数信号の信号強度が、最大で、少なくとも１つの移動局によって、もしくは少なくとも１つのさらなる移動局によって測定された第１の無線周波数信号の信号強度よりも小さい第１の定義済みの大きさである場合、第１の基地局から第２の基地局へのハンドオーバをトリガすることによって、第２の基地局のカバレッジ・エリアのために範囲拡張を適用し、定義済みの時間間隔で、少なくとも１つの移動局または少なくとも１つのさらなる移動局を選択し、少なくとも１つの移動局によって、もしくは少なくとも１つのさらなる移動局によって測定された第２の無線周波数信号の信号強度が、少なくとも１つの移動局によって、もしくは少なくとも１つのさらなる移動局によって測定された第１の無線周波数信号の信号強度よりも小さい第２の定義済みの大きさである場合、第２の基地局から第１の基地局へのハンドオーバをトリガすることによって、または、少なくとも１つの移動局によって、もしくは少なくとも１つのさらなる移動局によって測定された第２の無線周波数信号の信号強度が、少なくとも、少なくとも１つの移動局によって、もしくは少なくとも１つのさらなる移動局によって測定された第１の無線周波数信号の信号強度よりも大きい第２の定義済みの大きさである限り、第１の基地局から第２の基地局へのハンドオーバを防止することによって、かつ、第２の定義済みの大きさよりも大きい第１の定義済みの大きさを設定することによって、選択された少なくとも１つの移動局または選択された少なくとも１つのさらなる移動局に関して、第２の基地局のカバレッジ・エリアのために範囲拡張を適用しないステップを含む。第５の実施形態を使用することによって、少なくとも１つの移動局は、範囲拡張が適用されない間も随時存在することになる。そのような移動局は、第１の基地局と第２の基地局との間のハンドオーバが実行される前に、第２の基地局のカバレッジ・エリアの中央領域に近づくことができる。
【００２５】
第６の実施形態によれば、方法は、さらに、少なくとも１つの移動局が、第１の基地局から第２の基地局への少なくとも１つの移動局のハンドオーバを防止するための定義済みの速度値以上の速度で第２の基地局のカバレッジ・エリアを横断しているとき、放射線ビームの１つに関する指標が少なくとも１つの移動局から受信されているかどうかを、処理ユニットで確認するステップを含み、少なくとも１つの移動局が、定義済みの速度値以上の速度で第２の基地局のカバレッジ・エリアを横断している場合、受信された指標の１つによって示される放射線ビームが、決定するステップのために考慮される。これは、マイクロ・セル、ピコ・セル、またはフェムト・セルのカバレッジ・エリア内のマクロ・セルの干渉する放射線ビームの知識を得るために、マクロ・セルによって単にまたは好ましくスケジュールされ、マクロ・セルからマイクロ・セル、ピコ・セル、またはフェムト・セルへのハンドオーバ手順を実行しない高速移動局の指標の報告を使用する利点を提供する。
【００２６】
第７の実施形態に関して、少なくとも１つのさらなる移動局は、第１の基地局および第２の基地局の第２の重なるカバレッジ・エリア内に位置することができ、方法は、さらに、少なくとも１つのさらなる無線リソースを用いて第２の基地局によって少なくとも１つのさらなる移動局をサーブするための受信された指標に基づいて、少なくとも１つのさらなる放射線ビームに関して第１の基地局によって使用されない、または、制限された送信電力で送信される少なくとも１つのさらなる無線リソースを、処理ユニットで決定するステップと、少なくとも１つの無線リソースのための第１の指標またはいくつかの第１の指標、および少なくとも１つのさらなる無線リソースのための第２の指標またはいくつかの第２の指標を、処理ユニットから第２の基地局に送信するステップとを含むことができる。これは、干渉状況のよりよい知識を第２の基地局で提供することができ、第２の基地局の性能を向上させることができる。
【００２７】
第８の実施形態によれば、方法は、さらに、少なくとも１つの移動局に関する指標と、少なくとも１つのさらなる移動局に関する指標と、少なくとも１つの無線リソースが少なくとも１つの移動局に適用可能であることの指標と、少なくとも１つのさらなる無線リソースが少なくとも１つのさらなる移動局に適用可能であることのさらなる指標とを、処理ユニットから第２の基地局に送信するステップをさらに含むことができる。第１の基地局の２つ以上の放射線ビームが第２の基地局のカバレッジ・エリアと重なる場合、第２の基地局に接続された第１の移動局が、第１の基地局の第１の放射線ビームおよび第２の基地局のカバレッジ・エリアの第１の重なり領域内に局在化する場合、ならびに、同様に第２の基地局に接続された少なくとも第２の移動局が、第１の基地局の第２の放射線ビームおよび第２の基地局のカバレッジ・エリアの第２の重なり領域内に局在化する場合、これは、第１の基地局放射線ビームが、第２の基地局に接続されたどの移動局に干渉をもたらすのかを、第２の基地局が知るので、第２の基地局において、少なくとも１つの移動局および少なくとも１つのさらなる移動局に関する干渉状況のさらによい知識を提供することができる。
【００２８】
本発明のさらなる有利な特徴は、本発明の以下の詳細な説明で定義され、説明される。
【００２９】
本発明の実施形態は、以下の詳細な説明において明らかになり、非限定的な例示として与えられる添付図面によって例証されることになる。
【図面の簡単な説明】
【００３０】
【図１】本発明の実施形態による例示的な無線通信システムのブロック図である。
【図２】本発明の実施形態による方法の流れ図である。
【図３】方法の実施形態によるワイヤレス・アクセス・ネットワーク・ノードのブロック図である。
【図４】本発明の実施形態による無線リソース・ブロックの２つの異なる割り当てを有する２つの時間周波数グリッドである。
【図５】本発明の一実施形態による第１の基地局および第２の基地局のブロック図である。
【図６】本発明のさらなる実施形態による第１の基地局および第２の基地局のブロック図ならびに、本発明のさらなる実施形態による、第２の基地局のカバレッジ・エリアの中心点からの距離の関数として、第１の基地局および第２の基地局によって送信される無線周波数信号の信号強度を示す図である。
【発明を実施するための形態】
【００３１】
図１は、２つの無線セルＣ１、Ｃ２を含む例示的な無線通信システムＲＣＳを示す。無線通信システムＲＣＳのさらなる無線セルと、２つの無線セルＣ１、Ｃ２の基地局ＢＳ１、ＢＳ２に接続されたコア・ネットワークとは、簡略化のために図示されていない。
【００３２】
「基地局」という用語は、基地トランシーバ局、基地局、ノードＢ、拡張ノードＢ、アクセス・ポイント、などと同義語であると見なされてよく、および／またはこれらとして呼ばれてよく、無線通信システムＲＣＳと１つまたは複数の移動局ＭＳ１、ＭＳ２との間の無線リンクを介して接続性を提供する機器を記述することができる。
【００３３】
無線通信システムＲＣＳは、例えば、ＯＦＤＭ（ＯＦＤＭ＝直交周波数分割多重）を使用する３ＧＰＰ  ＬＴＥ無線通信システムであってよい。さらなる代替態様では、無線通信システムＲＣＳは、例えば、例えばＩＥＥＥ８０２．１６ｄ規格（ＩＥＥＥ＝米国電気電子学会）ベースのＷｉＭＡＸ無線通信システム（ＷｉＭＡＸ＝ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、または、例えばＩＥＥＥ８０２．１１ｇ規格ベースのＷＬＡＮ（ＷＬＡＮ）であってよい。
【００３４】
２つの無線セルＣ１、Ｃ２の第１の無線セルＣ１は、第１の基地局ＢＳ１によって提供され、第１の基地局ＢＳ１は、例えば、１０ＭＨｚ搬送波に関して例えば４６ｄＢｍの第１の最大出力電力を有するマイクロ基地局であってよい。第１の無線セルＣ１の最大サイズは、六角形の境界によって図１に示されている第１の最大出力電力によって決定される。
【００３５】
第１の無線セルＣ１は、例えば、第１のセクタＳＥＣ１、第２のセクタＳＥＣ２、および第３のセクタＳＥＣ３にセクタ化されてよい。簡略化のために、第１のセクタＳＥＣ１に関する放射線ビーム・カバレッジのみが示されている。例示的に、第１のセクタＳＥＣ１は、例えば磁北Ｎに対して放射線の異なる角度を有する４つの放射線ビームＢ１、Ｂ２、Ｂ３、およびＢ４のグループによってカバーされる。さらなる代替態様では、第１のセクタＳＥＣ１は、２つの放射線ビームのグループによって、または４つより多くの放射線ビームのグループによってカバーされてよい。
【００３６】
放射線ビームＢ１、Ｂ２、Ｂ３、およびＢ４は、いわゆるプリコーディング・ベクトルに基づいており、プリコーディング・ベクトルは、いわゆる送信コードブックによって予め定義され、例えば、３ＧＰＰ  ＴＳ  ３６．２１３  Ｖ１０．０．１（２０１０−１２）セクション７．２．４で説明されている。これは、第１のプリコーディング・ベクトルは、第１の放射線ビームＢ１を表すことができ、第２のプリコーディング・ベクトルは、第２の放射線ビームＢ２を表すことができ、第３のプリコーディング・ベクトルは、第３の放射線ビームを表すことができ、第４のプリコーディング・ベクトルは、第４の放射線ビームＢ４を表すことができることを意味する。各プリコーディング・ベクトルは、第１の基地局ＢＳ１のアンテナ・システムの２つ以上のアンテナ素子に関する送信された無線周波数信号の振幅および位相に対するアンテナ重みを含む。
【００３７】
同様の放射線ビーム・カバレッジは、第２のセクタＳＥＣ２および第３のセクタＳＥＣ３に関する第１の基地局ＢＳ１の２つのさらなるアンテナ・システムによって提供されてよい。
【００３８】
第２の基地局ＢＳ２は、第１のセクタＳＥＣ１のカバレッジ・エリア内に位置し、第２の無線セルＣ２を提供する。第２の基地局ＢＳ２は、例えば、１０ＭＨｚ搬送波に関して３０ｄＢｍであり、したがって、第１の最大出力電力よりも小さい係数４０の第２の最大出力電力を提供する。より小さい第２の最大出力電力により、第２の基地局ＢＳ２は、例えば、マイクロ基地局、ピコ基地局、またはフェムト基地局であってよい。第２の無線セルＣ２の最大サイズは、同様に第２の無線セルＣ２の境界によって図１に示されている第２の最大出力電力によって決定される。第２の基地局ＢＳ２は、第２の無線セルＣ２がセクタ化されないように、例示的に全方向性アンテナを含む。代替的には、第２の基地局ＢＳ２は、２つ以上の放射線ビームを提供するための２つ以上のアンテナ素子を有する単一のアンテナ・システムを含むことができ、または、セクタ化された第２の無線セルにおいて２つ以上の放射線ビームを提供するための２つ以上のアンテナ素子を有する２つ以上のアンテナ・システムを含むことができる。
【００３９】
図１に示されていない第１の代替実施形態によれば、第１の無線セルＣ１の第１のセクタＳＥＣ１と、第２の無線セルＣ２とは、交差するが、第２の無線セルＣ２は、第１のセクタＳＥＣ１によって完全には覆われない。
【００４０】
同様に図１に示されていない第２の代替実施形態によれば、第１の基地局ＢＳ１および第２の基地局ＢＳ２は、同じ最大送信出力電力を有する２つの基地局であってよく、第１の基地局ＢＳ１および第２の基地局ＢＳ２の放射線ビームは、部分的に重なってよい。
【００４１】
第１の移動局ＭＳ１は、第１のセクタＳＥＣ１内、かつ、第２の無線セルＣ２のセル端に位置する。第２の移動局ＭＳ１は、第１のセクタＳＥＣ１内、かつ、第２の無線セルＣ２内に位置する。
【００４２】
「移動局」という用語は、移動ユニット、移動局、移動ユーザ、アクセス端末、ユーザ機器、加入者、ユーザ、リモート局、などと同義語であると見なされてよく、以後、これらとして時折呼ばれる場合がある。移動局ＭＳ１、ＭＳ２は、例えば、携帯電話、ポータブル・コンピュータ、ポケット・コンピュータ、ハンドヘルド・コンピュータ、パーソナル・デジタル・アシスタント、無線インターフェースを有するＵＳＢフラッシュ・ドライブ、または車載移動デバイスであってよい。
【００４３】
第１の基地局ＢＳ１および第２の基地局ＢＳ２は、第１のデータ接続部ＤＣ１によって相互接続され、第１のデータ接続部ＤＣ１は、例えば３ＧＰＰ  ＬＴＥによって定義されるようないわゆるＸ２インターフェースであってよく、固定接続部または無線接続部であってよい。第１のデータ接続部ＤＣ１は、主に、アクティブモード・モビリティ（ａｃｔｉｖｅ−ｍｏｄｅ  ｍｏｂｉｌｉｔｙ）（例えば、ハンドオーバ中のパケット転送）および多セルＲＲＭ機能（ＲＲＭ＝無線リソース管理）をサポートするために使用される。
【００４４】
第１のセクタＳＥＣ１のカバレッジ・エリア内の第２の基地局ＢＳ２の位置により、１つまたは複数の放射線ビームＢ１、Ｂ２、Ｂ３、およびＢ４のカバレッジ・エリアは、第２の無線セルＣ２のカバレッジ・エリアと重なる。１の周波数再使用が無線通信システムＲＣＳ内で適用される（すなわち、第１の基地局ＢＳ１および第２の基地局ＢＳ２が、移動局ＭＳ１、ＭＳ２への下りリンク送信のために同じ周波数の副搬送波を用いる）場合、カバレッジ・エリアの重なりは、第２の基地局ＢＳ２によって送信される第２の下りリンク無線周波数信号を用いて第１の基地局ＢＳ１によって移動局ＭＳ１、ＭＳ２に送信される第１の下りリンク無線周波数信号の干渉を結果として生じる。この干渉は、第１の基地局ＢＳ１および第２の基地局ＢＳ２から移動局ＭＳ１、ＭＳ２への下りリンク送信が調整されていない場合、第２の基地局ＢＳ２から移動局ＭＳ１、ＭＳ２への下りリンク無線通信を妨害し、無線通信システムＲＣＳ内の全体的なデータ・スループットを低下させる。そのような場合、時間領域ＩＣＩＣ（ＩＣＩＣ＝セル間干渉調整）が、いわゆるオールモスト・ブランク・サブフレーム（ＡＢＳ＝ａｌｍｏｓｔ  ｂｌａｎｋ  ｓｕｂｆｒａｍｅ）に適用されてよい。これによって、第１の基地局ＢＳ１は、第１の基地局ＢＳ１が第１の基地局ＢＳ１に接続された移動局をスケジュールするために使用しない１０ミリ秒長のフレームを用いて１ミリ秒長の１つまたは複数のサブフレームを予め定義する。異なる周波数の副搬送波が第１の基地局ＢＳ１および第２の基地局ＢＳ２で用いられる場合、第１の基地局ＢＳ１および第２の基地局ＢＳ２によって移動局ＭＳ１、ＭＳ２に送信される無線周波数信号間の干渉を回避するために、周波数領域ＩＣＩＣが用いられてよい。本発明は、第１の基地局ＢＳ１が下りリンク方向に第１の無線周波数信号を送信し、第２の基地局ＢＳ２が１つまたは複数のいくらかの周波数の副搬送波において同様に下りリンク方向に第２の無線周波数信号を送信する、時間領域ＩＣＩＣを用いる同一チャネル配置に着目することになる。
【００４５】
干渉を減少させるための下りリンク送信の調整は、以下の一般的な方法で行われる。第１のステップでは、第１の移動局ＭＳ１は、第２の無線セルＣ２のカバレッジ・エリアに重大な干渉をもたらす４つの放射線ビームＢ１、Ｂ２、Ｂ３、およびＢ４のグループからの干渉放射線ビームまたはいくつかの干渉放射線ビームを検出するために使用される。干渉放射線ビームまたはいくつかの干渉放射線ビームの検出は、例えば、３ＧＰＰ  ＴＳ  ３６．２１３  Ｖ１０．０．１（２０１０−１２）セクション７．２で３ＧＰＰ  ＬＴＥによって定義されたような、第１の基地局ＢＳ１と第１の移動局ＭＳ１との間の共通シグナリング手順に基づくことができる。第１の基地局ＢＳ１は、図４に示すような時間周波数グリッドにおける定義済みのリソース・ブロックによって、放射線ビームＢ１、Ｂ２、Ｂ３、およびＢ４の各々を介して、第１の移動局ＭＳ１および第２の移動局ＭＳ２にパイロットを周期的に送信する。図１に関して、例示的に、第１の移動局ＭＳ１は、第１の基地局ＢＳ１に接続され、第２の移動局ＭＳ２は、第２の基地局ＢＳ２に接続される。３ＧＰＰ  ＬＴＥの将来の発展において、第１の移動局ＭＳ１および第２の移動局ＭＳ２は、２つ以上の無線接続を介して、２つ以上の基地局に同時に接続されてもよい。
【００４６】
パイロットを受信した後、第１の移動局ＭＳ１は、受信されたパイロットの信号品質を周期的に決定し、最高の信号品質を有する放射線ビーム、または、定義済みの信号品質以上の信号品質を有するいくつかの放射線ビームを決定し、最高の信号品質を有する放射線ビームの指標、または、定義済みの信号品質以上の信号品質を有するいくつかの放射線ビームに関するいくつかの指標を、第１の基地局ＢＳ１に送信する。図１に関して、第１の移動局ＭＳ１は、第２の放射線ビームＢ２に関する指標を送信することができる。第１の基地局ＢＳ１は、第１の移動局ＭＳ１が第２の無線セルＣ２のカバレッジ・エリアの境界にまたはその内に位置していることを条件に、指標またはいくつかの指標が受信されたとき、受信された指標またはいくつかの受信された指標に基づいて、干渉放射線ビームまたはいくつかの干渉放射線ビームを識別する。
【００４７】
第２のステップでは、検出された単一の干渉放射線ビームまたはいくつかの干渉放射線ビームの１つまたは複数の無線リソースは、単一の干渉放射線ビームまたはいくつかの干渉放射線ビームに関して第１の基地局ＢＳ１によって使用されないことになる。代わりに、第１の基地局ＢＳ１は、第１の基地局ＢＳ１に接続され、単一の干渉放射線ビーム内、またはいくつかの干渉放射線ビームの１つ内に位置する移動局を、最良のＰＭＩとして示されないが、第２の無線セルＣ２のカバレッジ・エリアに干渉をもたらさない、またはわずかな干渉のみをもたらすさらなる非干渉放射線ビームを用いてサーブすることができる。１つまたは複数の無線リソースは、単一の放射線ビームまたはいくつかの干渉放射線ビームの１つ内に位置し、第２の基地局ＢＳ２に接続された移動局をサーブするための第２の基地局ＢＳ２によって用いられる。
【００４８】
無線通信システムＲＣＳにおける干渉低減のための基地局ＢＳ１、ＢＳ２からの下りリンク送信の調整は、図２および図４に関してより詳細に説明される。
【００４９】
図２を参照すると、本発明の実施形態による第１の方法ＭＥＴ１の流れ図が示されている。第１の方法ＭＥＴ１を実行するためのステップの数は、重要ではなく、当業者によって理解され得るように、ステップの数およびステップの順番は、本発明の範囲から逸脱することなく変化してよい。
【００５０】
第１の移動局ＭＳ１は、第１の基地局ＢＳ１に接続され、第１の基地局ＢＳ１によってサーブされてよく、第２の移動局ＭＳ２は、第２の基地局ＢＳ２に接続され、第２の基地局ＢＳ２によってサーブされてよい。
【００５１】
第１の周期的ステップＭ１／１（図２の第１の矢印Ａ１によって示される）では、第１の基地局ＢＳ１は、定義済みの無線リソース位置を時間周波数グリッド内の共通パイロットＰに適用することによって、第１の移動局ＭＳ１に定義済みのいわゆる共通パイロットＰを、無指向性の方法で送信することができる。そのようなパイロット送信は、例えば、３ＧＰＰ  ＴＳ  ３６．２１１  Ｖ１０．０．０（２０１０−１２）セクション６．１０で３ＧＰＰ  ＬＴＥの場合に説明されており、そこでは、共通パイロットは、セル固有参照信号と呼ばれている。
【００５２】
さらなるステップＭ１／３ では、第１の移動局ＭＳ１は、定義済みの品質基準を満たす放射線ビームを決定するための、受信された共通パイロットＰの評価を実行する。そのような評価は、例えば欧州特許第２１６６８０７Ｂ１号に説明されている。これによって、第１の移動局ＭＳ１は、平均化を用いて、受信された共通パイロットの１つ、または受信された共通パイロットのいくつかに関する第１のＳＮＲ値、ＳＩＮＲ値、またはＳＩＲ値を計算するために、送信コードブックからの第１のプリコーディング・ベクトルを適用し、平均化を用いて、受信された共通パイロットの１つ、または受信された共通パイロットのいくつかに関する少なくとも１つの第２のＳＮＲ値、ＳＩＮＲ値、またはＳＩＲ値を計算するために、送信コードブックからの少なくとも第２のプリコーディング・ベクトルを適用する。定義済みの品質基準は、例えば、最大のＳＮＲ、最大のＳＩＮＲ、または、計算された第１および第２のＳＮＲ値、ＳＩＮＲ値、もしくはＳＩＲ値の最大のものであってよい。定義済みの品質基準は、代替的に、第１の移動局ＭＳ１が２つ以上のＰＭＩを報告するように構成されている場合、最大のＳＮＲ、最大のＳＩＮＲ、または最大のＳＩＲを有する２つ以上の放射線ビームのグループであってよい。報告されるＰＭＩの数は、定義済みの受信信号品質しきい値と、定義済みの信号品質しきい値に達するまたはそれを超える様々な放射線ビームＢ１、Ｂ２、Ｂ３、Ｂ４に関する受信された信号品質値の数とに依存してよい。図１に関して、第１の移動局ＭＳ１は、第１の移動局ＭＳ１に関する最良のＰＭＩとして第２の放射線ビームＢ２を示す第１のＰＭＩ、ＰＭＩ１を決定することができる。第１の移動局ＭＳ１は、好ましくはさらに、ステップＭ１／３によって、第２の放射線ビームＢ２に関する第１のＣＱＩ、ＣＱＩ１、および第１のＲＩ、ＲＩ１を決定することができる。
【００５３】
さらなるステップＭ１／４では、第１の移動局ＭＳ１は、第１のＰＭＩ、ＰＭＩ１、第１のＣＱＩ、ＣＱＩ１、および第１のＲＩ、ＲＩ１を第１の基地局ＢＳ１に送信し、これらは、次のステップＭ１／５で第１の基地局ＢＳ１によって受信される。
【００５４】
ステップＭ１／３、Ｍ１／４、およびＭ１／５によって実行される評価および送信は、共通パイロットＰの送信と同じ周期性で行われてよく、または、２つ以上の受信された共通パイロットＰの信号品質を平均化することに基づいて繰り返されてよい（ステップＭ１／３、Ｍ１／４、およびＭ１／５の繰り返しは、図１の第２の矢印Ａ２によって示されている）。
【００５５】
さらなるステップＭ１／６〜Ｍ１／１１は、図３に概略的に示されている第１の基地局ＢＳ１の処理ユニットＰＵによって実行されてよい。第１の基地局ＢＳ１は、第１のセクタＳＥＣ１のためのアンテナ・システムＡＳ１を含む。アンテナ・システムＡＳ１は、例示的に、アンテナ・システムＡＳ１でビーム形成を可能にするための４つのアンテナ素子を含む。第１の基地局ＢＳ１は、さらに、処理ユニットＰＵおよび制御ユニット・ボードＣＵを含む。処理ユニットＰＵは、例えば、無線周波数信号用のワイヤレス・トランシーバまたはワイヤレス送信機であってよい。代替的には、１つのＲＲＨ（ＲＲＨ＝リモート無線ヘッド）またはいくつかのＲＲＨがアンテナ・システムＡＳ１の代わりに用いられる場合、処理ユニットＰＵは、いわゆるモデム・ユニット・ボードであってよい。
【００５６】
処理ユニットＰＵは、アンテナ接続部ＡＣによってアンテナ・システムＡＳ１に接続された第１のインターフェースＩＦ１を含む。１つのＲＲＨまたはいくつかのＲＲＨを使用する場合には、アンテナ接続部は、例えば、いわゆるＣＩＰＲＩインターフェース（ＣＩＰＲＩ＝共通公衆無線インターフェース）に基づいてよい。処理ユニットＰＵは、さらに、制御ユニット・ボードＣＵとの接続のための第２のインターフェースＩＦ２を含む。
【００５７】
制御ユニット・ボードＣＵは、レイヤ３における、すなわち、測定、セル再選択、ハンドオーバ、ＲＲＣセキュリティ、および整合性などの、いわゆるＲＲＣ層（ＲＲＣ＝無線リソース制御）におけるタスクを実行する。制御ユニット・ボードＣＵは、コア・ネットワークの１つまたは複数のネットワーク・ノードに接続され、コア・ネットワークから受信されたＩＰデータを、さらなる処理のために処理ユニットＰＵに送信する。制御ユニット・ボードＣＵは、さらに、第１のデータ接続部ＤＣ１を介して、第２の基地局ＢＳ２内のさらなる制御ユニット・ボードに接続される。
【００５８】
処理ユニットＰＵは、スケジューラＳＣＨＥＤ、評価ユニットＥＶＡＬ−Ｕ、およびメモリＭＥＭなどの、いくつかの機能ブロックを含む。メモリＭＥＭは、一時記憶域ＴＳおよびマッピング・テーブルＭＴを含むことができる。処理ユニットＰＵは、一般的に、レイヤ２における、すなわち、ヘッダ圧縮および暗号化を担当する、いわゆるＰＤＣＰ層（ＰＤＣＰ＝パケット・データ・コンバージェンス・プロトコル（Ｐａｃｋｅｔ  Ｄａｔａ  Ｃｏｎｖｅｒｇｅｎｃｅ  Ｐｒｏｔｏｃｏｌ））、例えばセグメント化およびＡＲＱ（ＡＲＱ＝自動再送要求）を担当する、いわゆるＲＬＣ層（ＲＬＣ＝無線リンク制御）、ならびに、ＭＡＣ多重化およびＨＡＲＱ（ＨＡＲＱ＝ハイブリッド自動再送要求）を担当する、いわゆるＭＡＣ層（ＭＡＣ＝メディア・アクセス制御）におけるデータ処理を実行する。処理ユニットＰＵは、一般的に、さらに、符号化、変調、ならびにアンテナおよびリソース・ブロック・マッピングなどの、下りリンク方向の物理層におけるデータ処理を実行する。第１の基地局ＢＳ１および処理ユニットＰＵの機能ブロックの数は、重要ではなく、当業者によって理解され得るように、機能ブロックの数は、個々の実施態様の優先度に依存してよく、したがって、本発明の範囲から逸脱することなく変化してよい。
【００５９】
さらなるステップＭ１／６では、処理ユニットＰＵは、第１のＰＭＩ、ＰＭＩ１を受信し、第１のＰＭＩ、ＰＭＩ１、第１の移動局ＭＳ１の識別子を、メモリＭＥＭの一次記憶域ＴＳに記憶することができ、好ましくは、第１のＰＭＩ、ＰＭＩ１が一次記憶域ＴＳに記憶された時点のタイム・スタンプも記憶することができる。第１の移動局ＭＳ１の識別子は、例えば、スケジューラＳＣＨＥＤによって提供されてよい。一次記憶域ＴＳに記憶されたデータは、定義済みの時間後に自動的に消去されてよく、または、一次記憶域ＴＳがデータで完全に満たされている場合、最も古いデータは、最新のデータで上書きされてよい。
【００６０】
次のステップＭ１／７では、評価ユニットＥＶＡＬ−Ｕは、受信された第１のＰＭＩ、ＰＭＩ１が、さらなるステップＭ１／８でマッピング・テーブルＭＴに格納されるべきかどうかを決定するために、１つまたは複数の評価を実行する。評価ユニットＥＶＡＬ−Ｕは、第１に、第１の移動局ＭＳ１が第２の放射線ビームＢ２および第２の無線セルＣ２の重なるカバレッジ・エリア内に位置する時点で、第１のＰＭＩ、ＰＭＩ１が受信されたかどうかを評価する。そのような評価は、様々な方法で行われてよい。
【００６１】
第１の代替態様によれば、第２の放射線ビームＢ２および第２の無線セルＣ２の重なるカバレッジ・エリアなどの、重なるカバレッジ・エリアの寸法は、無線通信システムＲＣＳを計画するために使用されるソフトウェアから知ることができ、寸法は、例えば、重なるカバレッジ・エリアの境界の地理的座標の形態で、メモリＭＥＭのカバレッジ・エリア・データベースＣＡＤに記憶されてよい。第１の移動局ＭＳ１が第１のＰＭＩ、ＰＭＩ１を送信した時点の第１の移動局ＭＳ１の現在の地理的座標は、例えば、三角測量、または第１の移動局ＭＳ１から無線通信システムＲＣＳの２つ以上のアンテナ・システムに送信された無線周波数信号の伝搬時間測定などの、周知の位置評定方法によって決定されてよい。そのような位置評定方法は、例えば、「Ｗｉｒｅｌｅｓｓ  Ｐｏｓｉｔｉｏｎ  Ｌｏｃａｔｉｏｎ：Ｆｕｎｄａｍｅｎｔａｌｓ，Ｉｍｐｌｅｍｅｎｔａｔｉｏｎ  Ｓｔｒａｔｅｇｉｅｓ，ａｎｄ  Ｓｏｕｒｃｅｓ  ｏｆ  Ｅｒｒｏｒ」、Ｋｅｖｉｎ  Ｊ．Ｋｒｉｚｍａｎら、ＩＥＥＥ  ４７ｔｈ  Ｖｅｈｉｃｕｌａｒ  Ｔｅｃｈｎｏｌｏｇｙ  Ｃｏｎｆｅｒｅｎｃｅ  Ｐｒｏｃｅｅｄｉｎｇｓ、９１９（１９９７）、または、「Ｓａｔｅｌｌｉｔｅ  ａｎｄ  Ｔｅｒｒｅｓｔｒｉａｌ  Ｒａｄｉｏ  Ｐｏｓｉｔｉｏｎｉｎｇ  Ｔｅｃｈｎｉｑｕｅｓ，Ａ  ｓｉｇｎａｌ  ｐｒｏｃｅｓｓｉｎｇ  ｐｅｒｓｐｅｃｔｉｖｅ」、Ｄａｒｄａｒｉ、Ｌｕｉｓｅ、Ｆａｌｌｅｔｔｉ、Ａｃａｄｅｍｉｃ  Ｐｒｅｓｓ、２０１１に説明されている。評価ユニットＥＶＡＬ−Ｕは、カバレッジ・エリア・データベースＣＡＤに問い合わせ、第１の移動局ＭＳ１の決定された座標が、重なるカバレッジ・エリアの地理的境界座標内であるかどうかを確認する。
【００６２】
第２の代替態様によれば、第１の移動局ＭＳ１が第１のＰＭＩ、ＰＭＩ１を送信した時点の第１の移動局ＭＳ１の現在の地理的座標は、例えば、ＧＰＳ（ＧＰＳ＝全地球測位システム）、Ｇａｌｉｌｅｏ、またはＧｌｏｎａｓｓなどの、宇宙ベースの衛星航法システムからの無線周波数信号用の受信機を含む第１の移動局ＭＳ１によって決定されてよい。第１の移動局ＭＳ１は、現在の地理的座標を、例えば、第１のＰＭＩ、ＰＭＩ１と共に、第１の基地局ＢＳ１に送信することができる。次いで、第１の代替態様に用いられるのと同じ方法で、評価ユニットＥＶＡＬ−Ｕは、第１の移動局ＭＳ１から受信された第１の移動局ＭＳ１の現在の座標が、重なるカバレッジ・エリアの地理的境界座標内であるかどうかを確認することができる。
【００６３】
好ましくは、様々な第３の代替態様によれば、評価ユニットＥＶＡＬ−Ｕは、第１のＰＭＩ、ＰＭＩ１が、第１の基地局ＢＳ１と第２の基地局ＢＳ２との間の第１の移動局ＭＳ１のハンドオーバの直前または直後に受信されたかどうかを管理する。この管理は、制御ユニット・ボードＣＵからのハンドオーバ・イベント・メッセージの受信を評価ユニットＥＶＡＬ−Ｕで監視することに基づいてよい。ハンドオーバ・イベント・メッセージの受信は、簡略化のために、図２には示されていない。ハンドオーバ・イベント・メッセージは、例えば、ハンドオーバを実行する移動局の識別子と、そこからまたはそこへハンドオーバが実行される無線セルの指標とを含むことができる。
【００６４】
図１に関して、第１のセクタＳＥＣ１から第２の無線セルＣ２へのハンドオーバの場合には、さらなる第１のＰＭＩ、ＰＭＩ１が第１の移動局ＭＳ１から受信される前に、ハンドオーバ・イベント・メッセージが、第１のセレクタＳＥＣ１から第２の無線セルＣ２へのハンドオーバを実行する第１の移動局ＭＳ１に関して受信されない場合、評価ユニットＥＶＡＬ−Ｕは、メモリＭＥＭ内の第１のＰＭＩ、ＰＭＩ１、および第１の移動局ＭＳ１の識別子を削除し、または、評価ユニットＥＶＡＬ−Ｕは、より後の時点で１つまたは複数の統計的な数学的方法を適用するために、一次記憶域ＴＳ内の第１のＰＭＩ、ＰＭＩ１を保持することができる。これは、第１の基地局ＢＳ１から第２の基地局ＢＳ２への第１の移動局のハンドオーバに相関して受信されている単一のＰＭＩが、第１の基地局ＢＳ１の放射線ビームを第２の基地局ＢＳ２に関する干渉放射線ビームとして定義または決定することができないことを意味する。
【００６５】
第２の基地局ＢＳ２から第１の基地局ＢＳ１への第１の移動局ＭＳ１のハンドオーバの場合には、評価ユニットＥＶＡＬ−Ｕは、ステップＭ１／７で、第１の移動局ＭＳ１からの第１のＰＭＩ、ＰＭＩ１がステップＭ１／６で受信される前に、制御ユニット・ボードＣＵからのハンドオーバ・イベント・メッセージが処理ユニットＰＵで受信されているかどうかを評価する。好ましくはステップＭ１／６の前の７０ミリ秒などの第１の定義済みの時間フレームまたは第１の定義済みの時間間隔内にハンドオーバ・イベント・メッセージが受信されている場合、評価ユニットＥＶＡＬ−Ｕは、一次記憶域ＴＳ内の第１のＰＭＩ、ＰＭＩ１を保持し、一次記憶域ＴＳ内の第１のＰＭＩ、ＰＭＩ１を保持し、第１のＰＭＩ、ＰＭＩ１に関する第２の基地局ＢＳ２または第２の無線セルＣ２の指標を一次記憶域ＴＳに記憶することもできる。ステップＭ１／６の前の第１の定義済みの時間フレーム内にハンドオーバ・イベント・メッセージが受信されなかった場合、評価ユニットＥＶＡＬ−Ｕは、一次記憶域ＴＳ内の第１のＰＭＩ、ＰＭＩ１を削除することができる。
【００６６】
好ましくは、評価ユニットＥＶＡＬ−Ｕは、第１のＰＭＩ、ＰＭＩ１、および第１の移動局ＭＳ１の識別子がメモリＭＥＭの一次記憶域ＴＳに記憶された時点で、第１の定義済みの時間間隔を有するタイマを開始し、第１の定義済みの時間フレームが終了する前に、第１のセクタＳＥＣ１から第２の無線セルＣ２へのハンドオーバを実行する第１の移動局ＭＳ１に関してハンドオーバ・イベント・メッセージが受信されない場合、評価ユニットＥＶＡＬ−Ｕは、一次記憶域ＴＳ内の第１のＰＭＩ、ＰＭＩ１、および第１の移動局ＭＳ１の識別子を削除し、または、第１の定義済みの時間フレームが終了する前に、第１の基地局ＢＳ１から第２の基地局ＢＳ２へのハンドオーバを実行する第１の移動局ＭＳ１に関するハンドオーバ・イベント・メッセージが受信された場合、評価ユニットＥＶＡＬ−Ｕは、一次記憶域ＴＳ内の第１のＰＭＩ、ＰＭＩ１を保持する。タイマが使用され、第１の定義済みの時間間隔が適切な値に設定されている場合、特に、第１の移動局ＭＳ１から第１の基地局ＢＳ１にＰＭＩを送信するための送信周期が大きく、第１の移動局ＭＳ１の速度も高い場合、第１の移動局ＭＳ１が、第１のセクタＳＥＣ１および第２の無線セルＣ２の重なるカバレッジ・エリアに位置することを、より正確に管理することが可能である。
【００６７】
第２の基地局ＢＳ２から第１の基地局ＢＳ１への第１の移動局ＭＳ１のハンドオーバのためと同様の方法で、評価ユニットＥＶＡＬ−Ｕは、第２の基地局ＢＳ２から第１の基地局ＢＳ１へのハンドオーバを実行する第１の移動局ＭＳ１に関するハンドオーバ・イベント・メッセージを受信することができ、第１の移動局ＭＳ１の識別子、および第２の無線セルＣ２の指標を、メモリＭＥＭの一次記憶域ＴＳに記憶することができる（簡略化のために図２には示されていない）。ハンドオーバ後に、第１のＰＭＩ、ＰＭＩ１が第１の移動局ＭＳ１から受信された場合、評価ユニットＥＶＡＬ−Ｕは、一次記憶域ＴＳ内の第１のＰＭＩ、ＰＭＩ１を保持することができる。
【００６８】
次のサブステップでは、評価ユニットＥＶＡＬ−Ｕは、一次記憶域ＴＳに記憶されたＰＭＩの数がＰＭＩの定義済みの数以上であるかどうかを確認することができる。一次記憶域ＴＳに記憶されたＰＭＩの数がＰＭＩの定義済みの数未満である場合、次のステップは、ステップＭ１／５であってよい。一次記憶域ＴＳに記憶されたＰＭＩの数がＰＭＩの定義済みの数以上である場合、評価ユニットＥＶＡＬ−Ｕは、以下で説明するように、１つまたは複数の統計的評価方法を実行することができる。統計的評価方法は、第１の基地局ＢＳ１の放射線ビームは、より長い時間間隔の間安定しており、ミリ秒または秒などの短い時間スケールで変化しないという仮定の下で行われてよい。
【００６９】
評価ユニットＥＶＡＬ−Ｕは、例えば、第２の放射線ビームＢ２が第１の定義済みの時間フレームΔＴ１内に移動局によって報告されたかどうかを定義済みの発生頻度で決定することができる。第１の定義済みの時間フレームΔＴ１は、例えば、１分もしくは数分、または１時間もしくは数時間であってよい。したがって、第１のＰＭＩが、第１の移動局ＭＳ１から処理ユニットＰＵで受信されたとき、評価ユニットＥＶＡＬ−Ｕは、例えば、タイム・スタンプとしてｔ０を用いてＴＷ＝（ｔ０−ΔＴ１，ｔ０）によって与えられる時間窓ＴＷ内に、第１のＰＭＩ、ＰＭＩ１によって第１の基地局ＢＳ１に、第１の基地局ＢＳ１から第２の基地局ＢＳ２への移動局のハンドオーバに関して報告された第２の放射線ビームＢ２の発生頻度を決定することができる。各々の報告された放射線ビームに関する頻度を計算することに基づいて、評価ユニットＥＶＡＬ−Ｕは、例えば、第２の放射線ビームＢ２に関するＰＭＩが、一次記憶域ＴＳに記憶されたすべてのＰＭＩの時間窓ＴＷ内の最高の発生頻度を有する場合、第２の放射線ビームＢ２に関するＰＭＩを決定することができる。
【００７０】
代替的には、評価ユニットＥＶＡＬ−Ｕは、例えば、第２の放射線ビームＢ２に関するＰＭＩが、第１の基地局ＢＳ１から第２の基地局ＢＳ２へのハンドオーバを実行する移動局によって、定義済みの時間フレームΔＴ内に、第１の定義済みの発生頻度以上に報告された場合、以下の式（同様の式が、第２の基地局ＢＳ２から第１の基地局ＢＳ１へのハンドオーバのために用いられてよい）に基づいて、確実な干渉放射線ビームとして第２の放射線ビームＢ２に関するＰＭＩを決定することができる。
【００７１】
【数１】
0005908173.tif 000002
【００７２】
ＮＢ２＝第２の放射線ビームＢ２が最後のまたは最初のＰＭＩとして報告されたハンドオーバの数
ＮＴＯＴＡＬ＝第１の基地局ＢＳ１の放射線ビームが最後のまたは最初のＰＭＩとして報告されたハンドオーバの総数
ＲＴ＝パーセントにおける第１の定義済みの発生頻度。第１の定義済みの発生頻度は、例えば、３０パーセントであってよい。
【００７３】
ステップＭ１／７では、評価ユニットＥＶＡＬ−Ｕは、好ましくは、第１のＰＭＩ、ＰＭＩ１に関して、および第２の無線セルＣ２に関して、非隣接放射線ビームに関するさらなるＰＭＩがマッピング・テーブルＭＴにすでに記憶されているかどうかを評価することもできる。局所的な構造的条件に応じて、例えば図５に示すように、それは、移動局ＭＳ１、ＭＳ２が、同じ方向または反対方向ＭＯＶ１、ＭＯＶ２で第２の無線セルＣ２と常に交差する場合であってよい。通りＳＴ、および通りＳＴ沿いの建物ＢＵＩ１、ＢＵＩ２、ＢＵＩ３は、移動局ＭＳ１、ＭＳ２が通りＳＴに沿って移動することのみを可能にする。これによって、移動局が第１の放射線ビームＢ１もしくは第３の放射線ビームＢ３のカバレッジ・エリアに位置するときの第１の基地局ＢＳ１から第２の基地局ＢＳ２へのハンドオーバ、または、移動局が第１の放射線ビームＢ１もしくは第３の放射線ビームＢ３のカバレッジ・エリアに位置するときの第２の基地局ＢＳ２から第１の基地局ＢＳ１へのハンドオーバは、生じることができるが、移動局が第２の放射線ビームＢ２のカバレッジ・エリア内に位置するときの第１の基地局ＢＳ１から第２の基地局ＢＳ２へのハンドオーバ、および、移動局が第２の放射線ビームＢ２のカバレッジ・エリア内に位置するときの第２の基地局ＢＳ２から第１の基地局ＢＳ１へのハンドオーバは、生じることができない。そのような場合には、第２の放射線ビームＢ２は、第２の無線セルＣ２に関する強い干渉放射線ビームである可能性があるにもかかわらず、移動局ＭＳ１、ＭＳ２のハンドオーバ前または後に、第２の放射線ビームＢ２に関するＰＭＩは、移動局ＭＳ１、ＭＳ２から第１の基地局ＢＳ１に決して報告されることはない。例えば、第２の移動局ＭＳ２が、第１のセクタＳＥＣ１から第１の放射線ビームＢ１を介して第２の無線セルＣ２のカバレッジ・エリア内にすでに移動しており、第１の基地局ＢＳ１から第２の基地局ＢＳ２へのハンドオーバが実行されている場合、放射線ビームＢ１に関するＰＭＩは、第２の無線セルＣ２に関連して、マッピング・テーブルＭＴにすでに記憶されている可能性がある。ここで、第１の移動局ＭＳ１が、第１のセクタＳＥＣ１から第３の放射線ビームＢ３を介して同様に第２の無線セルＣ２のカバレッジ・エリア内に移動し、第１の基地局ＢＳ１から第２の基地局ＢＳ２へのハンドオーバを同様に実行する場合、第１の移動局ＭＳ１は、ハンドオーバ前に、最後のＰＭＩとして、第３の放射線ビームＢ３に関するＰＭＩを第１の基地局ＢＳ１に送信することができる。評価ユニットＥＶＡＬ−Ｕは、第３の放射線ビームＢ３に隣接しない放射線ビームを示す第２の無線セルＣ２に関する放射線ビームのＰＭＩについてマッピング・テーブルＭＴに問い合わせることができる。図５の例に関して、問い合わせは、第１の放射線ビームＢ１のＰＭＩを提供することになる。評価ユニットＥＶＡＬ−Ｕは、第２の放射線ビームＢ２が、第１の放射線ビームのカバレッジ・エリアと第３の放射線ビームＢ３のカバレッジ・エリアとの間に位置する領域に対するカバレッジを提供することを知ることができる。したがって、両方とも無線セルＣ２に関連する、すでに記憶された第１の放射線ビームＢ１に関するＰＭＩ、および新たに受信された第３の放射線ビームＢ３に関するＰＭＩは、第２の放射線ビームＢ２も第２の無線セルＣ２に関する干渉放射線ビームでなければならないことの確実な指標を提供する。したがって、評価ユニットＥＶＡＬ−Ｕは、第１の放射線ビームＢ１および第２の放射線ビームＢ２に関するＰＭＩを、第２の無線セルＣ２に対する干渉放射線ビームとしてマッピング・テーブルＭＴに記憶することができる。
【００７４】
さらなる実施形態によるステップＭ１／７では、評価ユニットＥＶＡＬ−Ｕは、さらに、第１の移動局ＭＳ１が高速または低速移動局のいずれであるのかを評価することができる。無線通信システムＲＣＳは、３０ｋｍ／ｈなどの定義済みの速度値以上の速度で移動する移動局が、マクロ基地局によってサーブされることになり、マイクロ基地局、ピコ基地局、またはフェムト基地局によってサーブされないような方法で構成されてよい。第１の移動局ＭＳ１が第１の基地局ＢＳ１によってスケジュールされ、第２の無線セルＣ２を通過する間、第２の基地局ＢＳ２から第２の基地局ＢＳ２によってスケジュールされた移動局に送信された第２の無線周波数信号が、第１の基地局ＢＳ１から第１の移動局ＭＳ１に送信された第１の無線周波数信号に干渉をもたらさないように、ＡＢＳを有するＩＣＩＣが第２の基地局ＢＳ２によって適用されてよい。これは、そのような移動局に関して、第１の基地局ＢＳ１と第２の基地局との間のハンドオーバが防止され、実行されず、したがって、ＰＭＩが、第１の基地局ＢＳ１と第２の基地局ＢＳ２との間のハンドオーバに関連して決して受信されないことを意味する。そのような場合には、定義済みの速度値より速い速度で高速移動する移動局の速度および位置は、上記で説明したような位置評定方法（三角測量、伝搬時間測定、全地球的航法衛星システムから信号を受信するための受信機を使用する）の１つを使用することによって決定されてよい。第１の移動局ＭＳ１で測定し、第１の移動局ＭＳ１による第１のセクタＳＥＣ１に関する第１のＲＳＲＰの測定からの第１の値よりも大きい第２の値を有する第２の無線セルＣ２に関する第２のＲＳＲＰ（ＲＳＲＰ＝３ＧＰＰ  ＬＴＥによって定義されるような参照信号受信電力、３ＧＰＰ  ＴＳ  ３６．２１４  Ｖ１０．１．０セクション５．１．１参照）を報告することから、第２の無線セルＣ２内の高速移動する移動局の位置に関する指標が得られてもよい。第１の移動局ＭＳ１は、例えば、時間フレームΔｔあたりのハンドオーバの数Ｎを有するハンドオーバ・レートを測定し、例えば、以下の式を使用することによって、ハンドオーバ・レートが定義済みのハンドオーバ・レートしきい値Ｎｔｈｒｅｓを超えているかどうかを判断することによって、定義済みの速度値より速い速度の高速移動局として分類されてよい。
【００７５】
【数２】
0005908173.tif 000003
【００７６】
例えば、評価ユニットＥＶＡＬ−Ｕが、第１の移動局ＭＳ１（図５参照）が定義済みの速度値より速い速度で移動すると判断した場合、評価ユニットＥＶＡＬ−Ｕは、第１の移動局ＭＳ１の位置と、第２の無線セルＣ２のカバレッジ・エリアとを比較する。例えば、第１の移動局ＭＳ１が第２の無線セルＣ２のカバレッジ・エリア内に位置するときに、第２の放射線ビームＢ２に関するＰＭＩが第１の移動局ＭＳ１から受信された場合、評価ユニットＥＶＡＬ−Ｕは、第２の放射線ビームＢ２を、第２の無線セルＣ２に対する干渉放射線ビームとして識別することができる。
【００７７】
さらなるステップＭ１／８では、評価ユニットＥＶＡＬ−Ｕは、上記で説明した統計的評価の１つが、第１のＰＭＩ、ＰＭＩ１を第２の無線セルＣ２に対する干渉放射線ビームとして第２の放射線Ｂ２を示すための確実なＰＭＩとして決定した場合、第１のＰＭＩ、ＰＭＩ１を記憶する。
【００７８】
加えて、２つ以上のマイクロ・セル、ピコ・セル、またはフェムト・セルが第１のセクタＳＥＣ１内に位置するか、第１のセクタＳＥＣ１と交差する場合、および、第２の基地局ＢＳ２に関するＰＭＩ、または第２の無線セルＣ２のＰＭＩがマッピング・セルＭＴにまだ記憶されていない場合、評価ユニットＥＶＡＬ−Ｕは、第１のＰＭＩ、ＰＭＩ１に関する第２の基地局ＢＳ２または第２の無線セルＣ２の指標をマッピング・テーブルＭＴに記憶することができる。そのような場合には、マッピング・テーブルＭＴは、以下の２つの表に示すように変更されることになる。
【００７９】
【表１】
0005908173.tif 000004
【００８０】
例えば、第２の移動局ＭＳ２が第１のセクタＳＥＣ１から第２の無線セルＣ２へのハンドオーバを実行する直前に、第２の移動局ＭＳ２が第１の放射線ビームＢ１に関する第２のＰＭＩをすでに送信しており、ここで、ハンドオーバ・イベント・メッセージが第２の無線セルＣ２への第１の移動局ＭＳ１のハンドオーバを示す場合、マッピング・テーブルは、以下の２つのさらなる表に示すように変更されることになる。
【００８１】
【表２】
0005908173.tif 000005
【００８２】
マッピング・テーブルＭＴにまだ記憶されていないこれらのＰＭＩのみが、特定の無線セルに関してマッピング・テーブルＭＴに記憶されてよい。好ましくは、加えて、第１のＰＭＩ、ＰＭＩ１がマッピング・テーブルＭＴに記憶された時点のタイム・スタンプが、マッピング・テーブルＭＴに記憶されてよい。タイム・スタンプは、定義済みの時間間隔後に、第１のＰＭＩ、ＰＭＩ１が、依然として、第２の放射線ビームＢ２が依然として第２の無線セルＣ２に対する干渉放射線ビームであることの確実な指標であるかどうか、さらなる統計的分析を行うために使用されてよい。そうでない場合、第１のＰＭＩ、ＰＭＩ１は、マッピング・テーブルＭＴから削除されてよい。
【００８３】
第１の基地局ＢＳ１から第２の基地局ＢＳ２へのハンドオーバについて上記で説明したのと同様に、第２の放射線ビームＢ２の第１のＰＭＩ、ＰＭＩ１に関するステップＭ１／８の実行は、第２の基地局ＢＳ２から第１の基地局ＢＳ１へのハンドオーバを実行する移動局によって定義済みの時間フレームΔＴ内に第２の放射線ビームＢ２を報告するための第２の発生頻度に依存してよい。さらなる代替態様では、第２の放射線ビームＢ２の第１のＰＭＩ、ＰＭＩ１に関するステップＭ１／８の実行は、第１の基地局ＢＳ１から第２の基地局ＢＳ２へ、および第２の基地局ＢＳ２から第１の基地局ＢＳ１への両方のハンドオーバ方向の一つでハンドオーバを実行する移動局によって定義済みの時間フレームΔＴ内に第２の放射線ビームＢ２を報告するための第３の発生頻度に依存してよい。
【００８４】
ステップＭ１／８後の次のステップは、（図１の第４の矢印によって示される）ステップＭ１／５であってよい。
【００８５】
例えば、周期タイマの満了によって周期的にトリガされ得る、または、マッピング・テーブルＭＴが変更された場合にトリガされ得るさらなるステップＭ１／９では、スケジューラＳＣＨＥＤは、第２の無線セルＣ２および最後の問い合わせに関して、記憶されたＰＭＩの任意の変更についてマッピング・テーブルＭＴに問い合わせる。
【００８６】
次のステップＭ１／１０では、第２の放射線ビームＢ２に関する第１のＰＭＩ、ＰＭＩ１などのＰＭＩが第２の無線セルＣ２に関してマッピング・テーブルＭＴに新たに記憶されている場合、スケジューラＳＣＨＥＤは、例えば、第２の放射線ビームＢ２を介する第１の基地局ＢＳ１による後続の送信に関して第１の基地局ＢＳ１でブロックされることになる第１の無線リソースを、例えば時間周波数グリッドにおいて決定する。そのような時間周波数グリッドＴＦＧの例は、図４に示される。リソース配分は、例えば、３ＧＰＰ  ＬＴＥに用いられるような１０ミリ秒のフレームであってよい定義済みの時間長ＦＲＡＭＥに関する図４ａ）に示される。周波数帯域幅ＦＢは、３ＧＰＰ  ＬＴＥの場合には、例えば、１．４ＭＨｚ、３ＭＨｚ、５ＭＨｚ、１０ＭＨｚ、１５ＭＨｚ、または２０ＭＨｚであってよい。時間周波数グリッドは、３ＧＰＰ  ＬＴＥの場合には、１８０ｋＨｚの周波数幅および１ミリ秒の時間長のＰＲＢ（ＰＲＢ＝物理リソース・ブロック）に分割される。図４ａ）では、１０個の隣接ＰＲＢ、ＰＲＢ１、ＰＲＢ２、ＰＲＢ３、ＰＲＢ４、ＰＲＢ５、ＰＲＢ６、ＰＲＢ７、ＰＲＢ８、ＰＲＢ９、ＰＲＢ１０が、例示的に示されている。フレームは、１ミリ秒の時間長を有する１０のサブフレームＳＦ０、ＳＦ１、ＳＦ２、ＳＦ３、ＳＦ４、ＳＦ５、ＳＦ６、ＳＦ７、ＳＦ８、ＳＦ９に分割される。図４ａ）に関して、例示的にスケジューラＳＣＨＥＤによって決定された第１の無線リソースは、ＰＲＢ１０のすべてのサブフレームである。代替的には、スケジューラＳＣＨＥＤは、第１の無線リソースとして、例えば、（図４ｂ）に示す）ＰＲＢ６のすべてのサブフレーム、およびＰＲＢ７のサブフレームＳＦ０〜ＳＦ４を決定することができる。
【００８７】
さらなる代替態様では、第１の無線リソースは、第１の基地局ＢＳ２による後続の送信に関して第１の基地局ＢＳ１でブロックされないが、第２の放射線ビームＢ２の第１の無線リソースのために第１の基地局ＢＳ１で適用される送信電力は、後続の送信に関して、例えば、例えば第１の最大出力電力の１／４０であってよい定義済みの送信電力に制限される。そのような場合には、第１の基地局ＢＳ１の第１の最大出力電力は、第２の基地局ＢＳ２の第２の最大出力電力に制限される。
【００８８】
好ましくは、第１の無線リソースに関する制限（例えば、第１の無線リソースのために、定義済みの送信電力以下の送信電力を適用する、第１の無線リソースをブロックする）は、第２の無線セルＣ２と重なるカバレッジ・エリアを有する第２の放射線ビームＢ２に対してのみ適用されてよい。第２の無線セルＣ２と重なるカバレッジ・エリアを持たない第３の放射線ビームＢ３または第４の放射線ビームＢ４などの、第１の基地局ＢＳ１の他の放射線ビームに関しては、そのような制限は、適用されなくてよい。これによって、第１の基地局ＢＳ１から、第１の基地局ＢＳ１によってサーブされる移動局への下りリンク送信は、あまり影響されず、第１の基地局ＢＳ１での全体的なデータ・スループットの低下は、低く保たれる。
【００８９】
すでにマッピング・テーブルＭＴに記憶された放射線ビームに関して、第２の定義済みの時間フレームΔＴ２内にさらなる指標がどの移動局からも受信されない、または、第１の定義済みの発生頻度よりも低い可能性がある定義済みの第２の発生頻度で第２の定義済みの時間フレームΔＴ２内にさらなる指標が移動局から受信されないことが起こる可能性もある。例えば、ｔ２：ステップＭ１／９を実行する時点として、ｔ１＝ｔ２−ΔＴ２によって与えられ得るさらなる指標を受信するための時点ｔ１が、第１のＰＭＩ、ＰＭＩ１がマッピング・テーブルＭＴに記憶された時点よりも後である場合、放射線ビームに関するＰＭＩは、ステップＭ１／１０でマッピング・テーブルＭＴから削除されてよい。
【００９０】
次のステップＭ１／１１では、スケジューラＳＣＨＥＤは、第１の無線リソースに関する第１の指標または複数の第１の指標ＲＲＩ１を、第１のデータ接続部ＤＣ１を介して第２の基地局ＢＳ２に送信し、第２の基地局ＢＳ２は、さらなるステップＭ１／１２で第１の指標または複数の第１の指標ＲＲＩ１を受信する。第１の指標または複数の第１の指標ＲＲＩ１は、例えば、Ｘ２インターフェース上で独自のメッセージを使用することによって、第１の基地局ＢＳ１から第２の基地局ＢＳ２に送信されてよい。ＰＲＢのすべてのサブフレームが、図４ａ）に示すようにスケジューラＳＣＨＥＤによって選択された場合、ＰＲＢ１０に関する指標のみが、第２の基地局ＢＳ２に送信されてよい。図４ｂ）の場合には、ＳＦ０に関する指標および数４が後に続くＰＲＢ６に関する指標およびＰＲＢ７に関する指標が、第２の基地局ＢＳ２に送信されてよい。そのような場合には、ＰＲＢ７、ＳＦ０、および数４は、ＰＲＢ７のサブフレームＳＦ０および後続の４つのサブフレームＳＦ１〜ＳＦ４が、ＰＲＢ６のすべてのサブフレームに加えて決定されることを示す。代替的には、第１の基地局ＢＳ１は、加えて、第１の無線リソースの使用が第１の基地局ＢＳ１でブロックされるかどうか、または、第１の無線リソースのための送信電力のみが第１の基地局ＢＳ１で制限されるかどうかの指標を、第２の基地局ＢＳ２に送信することができる。
【００９１】
同様に図１に示すさらなる実施形態によれば、第１の放射線ビームＢ１のカバレッジ・エリアおよび第２の放射線ビームＢ２のカバレッジ・エリアは、第１の無線セルＣ２のカバレッジ・エリアと重なる可能性がある。第１の移動局ＭＳ１は、第２の放射線ビームＢ２および第２の無線セルＣ２の重なるカバレッジ・エリア内に位置する可能性があり、第２の移動局ＭＳ２は、第１の放射線ビームＢ１および第２の無線セルＣ２の重なるカバレッジ・エリア内に位置する可能性がある。第１の移動局ＭＳ１および第２の移動局ＭＳ２の位置は、上記で説明したような方法（例えば、三角測量、伝搬時間測定、ＧＰＳ受信機を使用する）の１つによって決定されてよい。移動局が第１の基地局ＢＳ１の放射線ビームおよび第２の無線セルＣ２のカバレッジ・エリアの異なる重なるカバレッジ・エリア内に位置する場合、スケジューラＳＣＨＥＤは、ステップＭ１／１０で、第２の放射線ビームＢ２に関する第１の無線リソースを決定することができ、第１の放射線ビームＢ１に関して、第１の無線リソースと重ならならず、第１の基地局ＢＳ１によって使用されるべきではない、または定義済みの送信電力以下の送信電力で第１の放射線ビームＢ１に関して第１の基地局ＢＳ１によって送信されるべき第２の無線リソースを決定することができる。図４ａ）に関して、第２の無線リソースは、例えば、ＰＲＢ６のすべてのサブフレームであってよい。ステップＭ１／１１では、スケジューラＳＣＨＥＤは、第２の基地局ＢＳ２に、第１の無線リソースに関する第１の指標または複数の第１の指標ＲＲＩ１、および第２の無線リソースに関する第２の指標または複数の第２の指標ＲＲＩ２を送信することができる。第１の移動局ＭＳ１および第２の移動局ＭＳ２が、分、または時間、または日などのより長い時間間隔の間、第１の放射線ビームＢ１および第２の放射線ビームＢ２のカバレッジ・エリア内に存在する可能性がある場合、スケジューラＳＣＨＥＤは、好ましくは、第２の基地局ＢＳ２に、第１の移動局ＭＳ１に関する識別子ＭＳ１−ＩＮＤ、第２の移動局ＭＳ２に関する識別子ＭＳ２−ＩＮＤ、第１の無線リソースが第１の移動局ＭＳ１に適用され得ることの指標ＲＲＩ１−ＭＳ１、および、第２の無線リソースが第２の移動局ＭＳ２に適用され得ることのさらなる指標ＲＲＩ２−ＭＳ２をさらに送信することができる。
【００９２】
さらに好ましい実施形態によれば、放射線ビームに関するＰＭＩがステップＭ１／９でマッピング・テーブルＭＴから削除されており、放射線ビームの第２の無線リソースに関する第２の指標または複数の第２の指標ＲＲＩ２が以前の方法サイクルの１つで第２の基地局ＢＳ２に送信されている場合、ステップＭ１／１１で、スケジューラＳＣＨＥＤは、第２の基地局ＢＳ２に、第２の無線リソースに関する第２の指標または複数の第２の指標ＲＲＩ２、および、第２の無線リソースが将来の時間スロットまたはフレームで第１の基地局（ＢＳ１）によって送信電力を低減することなく使用または送信されることのさらなる指標ＲＲＩ２−ＳＴＯＰを送信する。これによって、第２の基地局ＢＳ２は、第２の無線リソースが、もはや干渉なしに、または低減した干渉なしに利用可能であるという知識を得る。
【００９３】
次のステップＭ１／１３では、第２の基地局ＢＳ２は、例えば、１つまたは複数の第１の無線リソースを適用することによって、第２の移動局ＭＳ２に関するユーザ・データＤＡＴＡをスケジュールする。
【００９４】
さらなるステップＭ１／１４では、第２の基地局ＢＳ２は、ユーザ・データＤＡＴＡを第２の移動局ＭＳ２に送信し、第２の移動局ＭＳ２は、次のステップＭ１／１５でユーザ・データＤＡＴＡを受信する。
【００９５】
ステップＭ１／９〜Ｍ１／１２は、第１の基地局ＢＳ１からのどの干渉ビームまたは複数の干渉ビームが使用制限されるべきであるかについてのサブフレームごとの決定を必要とすることなく、準静的挙動を可能にする。第１の基地局ＢＳ１からのどの干渉ビーム（複数可）が制限されるべきであるかの決定は、繰り返し行われるべきであるが、３ＧＰＰ  ＬＴＥでは１ミリ秒であるサブフレームの時間長よりはるかに大きくてよい時間スケールで行われるべきである。時間スケールは、例えば、１分もしくは数分、または１時間もしくは数時間であってよい。
【００９６】
さらなる実施形態によれば、第２の基地局ＢＳ２は、拡張された第２の無線セルＣ２−ＥＸＴを有するための範囲拡張によって第２の無線セルを操作することができる。範囲拡張の原理は、例えば、３ＧＰＰ  ＴＲ  ３６．８１４  Ｖ９．０．０（２０１０−０３）セクション・チャプタ３１．２で説明されている。これによって、第１の基地局ＢＳ１から受信された第１の無線周波数信号の第１の信号強度は、第２の基地局ＢＳ２から受信された第２の無線周波数信号の第２の信号強度よりも定義済みの量高いが、移動局は、第２の基地局ＢＳ２によってサーブされる。第２の無線セルＣ２および拡張された第２の無線セルＣ２−ＥＸＴの中心から第２の無線セルＣ２および拡張された第２の無線セルＣ２−ＥＸＴの境界領域までの半径方向Ｒに関して、第１の信号強度Ｓ−ＢＳ１および第２の信号強度Ｓ−ＢＳ２に関する信号強度Ｓは、第２の無線セルＣ２および拡張された第２の無線セルＣ２−ＥＸＴの中心からの距離の関数として図６ｂ）に示されている。第２の無線セルＣ２および拡張された第２の無線セルＣ２−ＥＸＴの境界領域は、第１の基地局ＢＳ１と第２の基地局ＢＳ２との間の移動局のハンドオーバをトリガする移動局ＭＳ１、ＭＳ２の位置を示すことができる。例えば、第１の移動局ＭＳ１が第２の基地局ＢＳ２によってサーブされ、第１の移動局ＭＳ１が第２の無線セルＣ２の中心から第２の無線セルＣ２の境界まで移動する場合、第１の移動局ＭＳ１に関して、範囲拡張は、適用されず、第１の信号強度Ｓ−ＢＳ１が第２の信号強度Ｓ−ＢＳ２を第１の定義済みの差分値ＤＳ−ＮＯ−Ｒ超える場合、第２の基地局ＢＳ２から第１の基地局ＢＳ１へのハンドオーバは、実行されることになる。例えば、第２の移動局ＭＳ１が同様に第２の基地局ＢＳ２によってサーブされ、第２の移動局ＭＳ２が、拡張された第２の無線セルＣ２−ＥＸＴの中心から拡張された第２の無線セルＣ２−ＥＸＴの境界まで移動する場合、第２の移動局ＭＳ２に関して、範囲拡張は、適用され、第１の信号強度Ｓ−ＢＳ１が、第２の信号強度ＢＳ２を第１の定義済みの差分値ＤＳ−ＮＯ−Ｒよりも大きい第２の定義済みの差分値ＤＳ−Ｒ超える場合、第２の基地局ＢＳ２から第１の基地局ＢＳ１へのハンドオーバは、実行されることになる。
【００９７】
第２の移動局ＭＳ２を第２の基地局ＢＳ２によってサーブすることは、特に第２の基地局ＢＳ２の範囲拡張機能に関して第１の基地局ＢＳ１によって消されるサブフレーム（図４と比較）に適用されてよい。第１の基地局ＢＳ１によってサーブされる第１の移動局ＭＳ１は、消されたサブフレームを使用することによってスケジュールされない。範囲拡張がすべての移動局ＭＳ１、ＭＳ２に適用される場合、例示的には、図６ａ）に示すような構成に関して、移動局ＭＳ１、ＭＳ２が、第２の放射線ビームＢ２などの放射線ビームの１つのカバレッジ・エリア内に位置する場合、第１の基地局ＢＳ１から第２の基地局ＢＳ２へ、または第２の基地局ＢＳ２から第１の基地局ＢＳ１へのハンドオーバは、決して発生しないということが起こる可能性がある。これは、移動局ＭＳ１、ＭＳ２のハンドオーバが、第１の基地局ＢＳ１と第２の基地局ＢＳ２との間で実行される場合、拡張された無線セルＣ２−ＥＸＴの中心と重なる第２の放射線ビームＢ２のＰＭＩは、移動局ＭＳ１、ＭＳ２の１つから第１の基地局ＢＳ１に決して送信されないことを意味する。この問題を回避し、拡張された無線セルＣ２−ＥＸＴの中心に関する第１の基地局ＢＳ１の干渉放射線ビームの随時の知識を得るために、好ましくは、第２の基地局ＢＳ２での範囲拡張機能がオンに切り替えられた場合、第１の基地局ＢＳ１は、以下に説明するように、例えば、分または時間の周期で追加のステップを実行する。第２の基地局ＢＳ２のカバレッジ・エリアに関して、第１の基地局ＢＳ１によって送信され、第１の移動局ＭＳ１によって、もしくは第２の移動局ＭＳ２によって測定された第１の無線周波数信号の信号強度が、第２の基地局ＢＳ２によって送信され、第１の移動局ＭＳ１によって、もしくは第２の移動局ＭＳ２によって測定された第２の無線周波数信号の信号強度よりも大きい（図６ｂ）参照）第２の定義済みの差分値ＤＳ−Ｒでない限り、第２の基地局ＢＳ２から第１の基地局ＢＳ１へのハンドオーバを防止することによって、または、第１の移動局ＭＳ１によって、もしくは第２の移動局ＭＳ２によって測定された第２の無線周波数信号の信号強度が、最大で、第１の移動局ＭＳ１によって、もしくは第２の移動ＭＳ２によって測定された第１の無線周波数信号の信号強度よりも小さい第２の定義済みの差分値ＤＳ−Ｒである場合、第１の基地局ＢＳ１から第２の基地局ＢＳ２へのハンドオーバをトリガすることによって、範囲拡張は、適用されてよい。
【００９８】
第１の基地局ＢＳ１は、好ましくは、１分もしくは数分、または１時間もしくは数時間などの定義済みの時間間隔で、第１の移動局ＭＳ１および／または第２の移動局ＭＳ２を、第１の基地局ＢＳ１の干渉放射線ビームに関する拡張された無線セルＣ２−ＥＸＴの中心部分を検査するための単一のテスト移動局として、または複数のテスト移動局として選択することができる。したがって、第１の移動局ＭＳ１によって、もしくは第２の移動局ＭＳ２によって測定された第２の無線周波数信号の信号強度が、第１の移動局ＭＳ１によって、または第２の移動局ＭＳ２によって測定された第１の無線周波数信号の信号強度よりも小さい第１の定義済みの差分値ＤＳ−ＮＯ−Ｒである場合、第２の基地局ＢＳ２から第１の基地局ＢＳ１へのハンドオーバをトリガすることによって、または、第１の移動局ＭＳ１によって、もしくは第２の移動局ＭＳ２によって測定された第２の無線周波数信号の信号強度が、少なくとも、第１の移動局ＭＳ１によって、もしくは第２の移動局ＭＳ２によって測定された第１の無線周波数信号の信号強度よりも大きい第１の定義済みの差分値ＤＳ−ＮＯ−Ｒである限り、第１の基地局ＢＳ１から第２の基地局ＢＳ２へのハンドオーバを防止することによって、第１の基地局ＢＳ１は、第１の移動局ＭＳ１および／または第２の移動局ＭＳ２に対して、第２の基地局ＢＳ２のカバレッジ・エリアＣ２に関する範囲拡張を適用しない。
【００９９】
拡張された無線セルＣ２−ＥＸＴに関してさらなる実施形態を使用することによって、第１の基地局ＢＳ１、第２の基地局ＢＳ２、または両方の基地局ＢＳ１、ＢＳ２は、第１の基地局ＢＳ１と第２の基地局ＢＳ２との間のハンドオーバ決定を決定するために第１の定義済みの差分値ＤＳ−ＮＯ−Ｒが適用されるべき１つまたは複数の移動局の１つまたは複数の識別子を用いて更新される。
【０１００】
説明および図面は、単に本発明の原理を例証する。したがって、当業者が、本明細書に明示的に説明または示されていないが、本発明の原理を具体化し、その要旨および範囲内に含まれる様々な構成を考案することができるであろうことは、明らかであろう。さらに、本明細書に列挙されたすべての例は主に、本発明の原理、および、発明者（複数可）によって技術を促進することに寄与される概念を理解する際に読者を助ける教育学的目的のみのためであることが明確に意図されており、そのような具体的に列挙された例および条件に限定されないものとして解釈されるべきである。さらに、本発明の原理、態様、および実施形態、ならびにそれらの具体的な例を列挙する本明細書中のすべての陳述は、それらの等価物を包含することが意図される。
【０１０１】
「．．．ユニット」または「．．．するための手段」として示される機能ブロックは、それぞれ、特定の機能を実行するために適合された回路網を備える機能ブロックとして理解されるべきである。したがって、「なにかのための手段」は、「なにかに適合されているまたは適している手段」として同様に理解されてよい。特定の機能を実行することに適合されている手段は、したがって、そのような手段が必ずしも前記機能を（所定の時刻に）実行していることを意味しない。
【０１０２】
図３に示す処理ユニットＰＵの様々な要素の機能は、専用のハードウェアの使用を通じて、ならびに、適切なソフトウェアに関連してソフトウェアを実行することができるハードウェアの使用を通じて提供されてよい。プロセッサによって提供されるとき、機能は、単一の専用プロセッサによって、単一の共有プロセッサによって、または、そのいくつかが共有され得る複数の個別プロセッサによって提供されてよい。さらに、「プロセッサ」または「コントローラ」という用語の明示的な使用は、ソフトウェアを実行することができるハードウェアを排他的に指すと解釈されるべきではなく、限定はしないが、デジタル信号プロセッサ（ＤＰＳ）ハードウェア、ネットワーク・プロセッサ、特定用途向け集積回路（ＡＳＩＣ）、フィールド・プログラマブル・ゲート・アレイ（ＦＰＧＡ）、ソフトウェアを記憶するための読み出し専用メモリ（ＲＯＭ）、ランダム・アクセス・メモリ（ＲＡＭ）、および不揮発性記憶装置を暗黙的に含むことができる。汎用および／またはカスタムの他のハードウェアも含まれてよい。同様に、図に示すどのスイッチも、単に概念的なものである。それらの機能は、プログラム・ロジックの動作を介して、専用ロジックを介して、プログラム制御および専用ロジックの相互作用を介して、または手動でさえ行われてよく、特定の技術は、文脈からより具体的に理解されるように、作成者によって選択可能である。本明細書中のどのブロック図も、本発明の原理を具体化する例示的な回路網の概念図を表すことは、当業者によって理解されるべきである。
【図１】
0005908173.tif 000006
【図２】
0005908173.tif 000007
【図３】
0005908173.tif 000008
【図４】
0005908173.tif 000009
【図５】
0005908173.tif 000010
【図６】
0005908173.tif 000011